(57)【要約】【課題】乾燥運転を少ないエネルギー消費量で効率良く行い、浴室の隅までも十分に乾燥することができる浴室乾燥装置および乾燥運転方法を提供する。【解決手段】この浴室乾燥装置は、浴室内の天井に設置された本体１０１に浴室内に空気を換気する換気手段１０２と、浴室内の空気を循環させる循環手段１０３と、循環手段１０３により生成される循環空気を加熱する加熱手段１０４とを設けた浴室乾燥装置において、加熱手段１０４の加熱出力を乾燥運転の途上において変更する制御手段を備えた構成としたものである。【選択図】　図１
2004093008.tif 000002
【特許請求の範囲】
【請求項１】
浴室の空気を換気する換気手段と、浴室の空気を循環する循環手段と、前記循環手段により生成させる循環空気を加熱する加熱手段とを備え、前記換気手段と前記循環手段と前記加熱手段を作動させて浴室を乾燥する乾燥運転を行う浴室乾燥装置において、前記加熱手段の加熱出力を乾燥運転の途上において変更する制御手段を設けたことを特徴とする浴室乾燥装置。
【請求項２】
制御手段は、乾燥運転の開始から所定時間経過した時に加熱手段の加熱出力を低下させることを特徴とする請求項１記載の浴室乾燥装置。
【請求項３】
制御手段は、乾燥運転を開始した後、循環空気の温度が所定値を超えた時に加熱手段の加熱出力を低下させることを特徴とする請求項１記載の浴室乾燥装置。
【請求項４】
制御手段は、乾燥運転を開始した後、循環空気の湿度が所定値を下回った時に加熱手段の加熱出力を低下させることを特徴とする請求項１記載の浴室乾燥装置。
【請求項５】
制御手段は、設定された乾燥運転時間に対して予め設定した所定割合の時間が経過した時に加熱手段の加熱出力を低下させることを特徴とする請求項１記載の浴室乾燥装置。
【請求項６】
制御手段の加熱出力制御量は、加熱手段の加熱出力の最大値と最小値の２出力であることを特徴とする請求項１、２、３、４または５記載の浴室乾燥装置。
【請求項７】
循環手段の主駆動源を直流電動機としたことを特徴とする請求項１、２、３、４、５または６記載の浴室乾燥装置。
【請求項８】
換気手段の主駆動源を直流電動機としたことを特徴とする請求項１、２、３、４、５、６または７記載の浴室乾燥装置。
【請求項９】
循環手段により創出される循環空気量は、乾燥運転の開始から終了まで常に最大に維持されることを特徴とする請求項１、２、３、４、５、６、７または８記載の浴室乾燥装置。
【請求項１０】
循環空気を浴室の壁面に沿って吐出させるための第１の風向制御手段を備えたことを特徴とする請求項１、２、３、４、５、６、７、８または９記載の浴室乾燥装置。
【請求項１１】
第１の風向制御手段は、手動で循環空気の吐出方向が変更可能であることを特徴とする請求項１０記載の浴室乾燥装置。
【請求項１２】
第１の風向制御手段は、自動で循環空気の吐出方向が変更可能であることを特徴とする請求項１１記載の浴室乾燥装置。
【請求項１３】
第１の風向制御手段は、循環空気の吐出方向を変更するとともに吐出風速を変更する風速調整作用を有することを特徴とする請求項１１または１２記載の浴室乾燥装置。
【請求項１４】
第１の風向制御手段により創出される循環空気の吐出方向に対して平行に循環空気を吐出させるための第２の風向制御手段を備えたことを特徴とする請求項１０、１１、１２または１３記載の浴室乾燥装置。
【請求項１５】
第２の風向制御手段は、手動で循環空気の吐出方向が変更可能であることを特徴とする請求項１４記載の浴室乾燥装置。
【請求項１６】
第２の風向制御手段は、自動で循環空気の吐出方向が変更可能であることを特徴とする請求項１４記載の浴室乾燥装置。
【請求項１７】
第２の風向制御手段は、循環空気の吐出方向を変更するとともに吐出風速を変更する風速調整作用を有することを特徴とする請求項１５または１６記載の浴室乾燥装置。
【請求項１８】
加熱手段は、浴室内に輻射熱を照射する輻射ヒーターであることを特徴とする請求項１、２、３、４、５、６、７、８、９、１０、１１、１２、１３、１４、１５、１６または１７記載の浴室乾燥装置。
【請求項１９】
循環空気中の水分を取り去る除湿手段を備えたことを特徴とする請求項１、２、３、４、５、６、７、８、９、１０、１１、１２、１３、１４、１５、１６、１７または１８記載の浴室乾燥装置。
【請求項２０】
除湿手段は、吸湿部において通過空気より吸湿し、再生部では加熱されて脱湿し再生する吸着材と、前記吸湿部と前記再生部が連続的もしくは断続的に入れ替わるように前記吸着材を回転させる駆動手段を備え、前記吸湿部において循環空気を流通させて循環空気中の水分を吸湿させ、前記再生部において加熱手段の加熱出力の全量もしくは少なくとも一部を用いて前記吸着材を再生し、前記吸着材から脱湿した水分を換気手段により浴室外に排出することにより除湿動作を行うことを特徴とする請求項１９記載の浴室乾燥装置。
【請求項２１】
再生部において吸着材より脱湿した水分の全量もしくは一部を凝縮させる凝縮器を備え、前記凝縮器において発生する凝縮潜熱を循環空気に与え循環空気を昇温することを特徴とする請求項２０記載の浴室乾燥装置。
【請求項２２】
凝縮器に発生した結露水を浴室外へ排出する結露水排出手段を備えたことを特徴とする請求項２１記載の浴室乾燥装置。
【請求項２３】
結露水排出手段は、凝縮器に発生した結露水を蒸発気化させる蒸発手段を備え、前記蒸発手段で結露水が蒸発気化することにより発生する水蒸気を換気手段で浴室外へ排出するものであることを特徴とする請求項２２記載の浴室乾燥装置。
【請求項２４】
人検知手段、ＵＶ灯備え、人が浴室にいない時の浴室乾燥時にＵＶ灯を点灯することを特徴とする請求項１、２、３、４、５、６、７、８、９、１０、１１、１２、１３、１４、１５、１６、１７、１８、または１９記載の浴室乾燥装置。
【発明の詳細な説明】
【０００１】
【発明の属する技術分野】
本発明は、主に一般家庭における室内の暖房、換気、室内もしくは室内に干した洗濯物の乾燥に使用される暖房乾燥装置の中で、特に浴室の暖房、換気、浴室もしくは浴室に干した洗濯物の乾燥を行う浴室乾燥装置の乾燥運転方法および乾燥方法に関わるものである。
【０００２】
【従来の技術】
この種の浴室乾燥装置は、既に種々考案されているが、例として特開平９−６０９４１号公報に記載されたものが知られている。以下、その構成について図２９および図３０を参照しながら説明する。
【０００３】
図２９に示すように、浴室内の天井に設置された本体１０１に浴室内に空気を換気する換気手段１０２と、浴室内の空気を循環させる循環手段１０３と、循環手段１０３により生成される循環空気を加熱する加熱手段１０４とが設けられており、換気手段１０２は、本体１０１を構成するハウジング下部に開口した吸気口１０５と、吸気口１０５より浴室の空気を吸引する換気ファン１０６と、換気ファン１０６の駆動源である換気用モータ１０７と、本体１０１内に設けた隔壁によって構成した換気風路１０８とから構成され、換気風路１０８の出口は屋外に開口した図示しないダクトに接続される排気口１０９となっている。
【０００４】
また、循環手段１０３は換気手段同様に本体１０１を構成するハウジングの下部に開口した吸気口１０５と、吸気口１０５から吸気した浴室の空気をハウジングの下部に開口している吐出口１１０から吐出することを繰り返すことによって浴室内の空気を循環させる循環ファン１１１と、循環ファン１１１の駆動源である循環用モータ１１２と、本体１０１内に設けた隔壁によって構成した循環風路１１３と、循環風路１１３の出口を構成する吐出口１１０とを備えている。
【０００５】
また、加熱手段１０４は、循環風路１１３中に設けた３個のヒーター１１４ａ、１１４ｂ、１１４ｃを備えており、換気用モータ１０７の駆動、即ち換気ファン１０６の作動、循環用モータ１１２の駆動、即ち循環ファン１１１の作動、ヒーター１１４ａ、１１４ｂ、１１４ｃの作動を各々選択的に操作することにより、浴室換気運転、浴室涼風運転、浴室暖房運転、浴室乾燥運転、浴室省エネ乾燥運転を行うものである。
【０００６】
なお本体１０１は、図３０に示しているように浴室内に配置されている。
【０００７】
以上のように構成された浴室乾燥装置の動作について説明すると、図示しないコントローラから浴室換気運転の指示が出された場合は、換気用モータ１０７を駆動して換気ファン１０６を動作させ、吸気口１０５より浴室内の空気を吸引し、換気風路１０８内を送風して排気口１０９から屋外に排気する。これにより、図３０に示しているように浴室に隣接している洗面所の乾燥した空気が浴室ドア１１５に設けられたグリル１１６から流入し、浴室内の湿った空気と洗面所の乾燥空気とが入れ替わり換気が進行することになる。
【０００８】
また、コントローラから浴室涼風運転の指示が出された場合は、換気用モータ１０７を駆動させ換気ファン１０６を動作させるとともに、循環用モータ１１２を駆動させ循環ファン１１３を動作させる。これにより、浴室内の湿った空気を浴室の外に排出し洗面所の乾燥した空気を取り込む一方、浴室の空気が浴室内に循環して浴室への涼風の供給が行われることになる。
【０００９】
また、コントローラから浴室暖房運転の指示が出された場合は、循環用モータ１１２を駆動させ循環ファン１１３を動作させるとともに、ヒーター１１４ａ、１１４ｂ、１１４ｃ全てに通電する。これにより、循環する浴室空気がヒーター１１４ａ、ヒーター１１４ｂ、ヒーター１１４ｃにより暖められ、この暖められた循環空気が浴室内を循環するので浴室内の暖房が行われることになる。
【００１０】
また、コントローラより浴室の乾燥あるいは浴室内に干されている衣類を乾燥する浴室乾燥運転の指示が出された場合は、換気用モータ１０７および循環用モータ１１２を駆動させ換気ファン１０６および循環ファン１１３を動作させるとともに、ヒーター１１４ａ、１１４ｂ、１１４ｃ全てに通電する。これにより、浴室内の湿った空気を浴室の外に排出し洗面所の乾燥した空気を取り込む一方、ヒーター１１４ａ、１１４ｂ、１１４ｃにより暖められた循環空気が浴室内を循環するので、浴室内の壁面や床面、あるいは浴室内に干されている衣類が保有している水分が蒸発し乾燥が促進することになる。
【００１１】
また、コントローラより浴室の乾燥あるいは浴室内に干されている衣類を少ない投入エネルギーで乾燥する省エネ浴室乾燥運転の指示が出された場合は、換気用モータ１０７および循環用モータ１１２を駆動させ換気ファン１０６および循環ファン１１３を動作させるとともに、ヒーター１１４ａのみに通電する。これにより、前記した通常の浴室乾燥運転と比較して乾燥時間は長くなるものの、乾燥運転で消費される電力量を少なくすることが可能となる。例えば温度２０℃、湿度６０％の雰囲気条件においては、通常の浴室乾燥運転モードではヒーター１１４ａ、１１４ｂ、１１４ｃ全てに通電で１２００Ｗ（一本当り４００Ｗ）で乾燥時間が３時間であったのに対し、省エネ浴室乾燥運転モードではヒーター１１４ａのみ通電で４００Ｗにて乾燥時間は６時間となり、乾燥運転で消費される電力量は２／３に低減された結果となった。
【００１２】
【発明が解決しようとする課題】
以上のように従来の浴室乾燥装置では、浴室の乾燥あるいは浴室内に干されている衣類を少ない投入エネルギーで乾燥する省エネ浴室乾燥運転モードを設け、乾燥運転で消費される電力量の低減を図っているが、その省エネ効果は約１／３程度であり、毎日乾燥運転を行う場合などは、まだ消費電力量が多くランニングコストが嵩み有効に使われる運転モードに成り難いという問題点があった。
【００１３】
本発明はこのような従来の課題を解決するものであり、浴室の壁面、床面あるいは浴室等に干された洗濯物の乾燥に利用される乾燥運転を、少ないエネルギー消費量で効率良く行いランニングコストを削減するとともに、従来、乾きにくいとされる浴室の隅までも十分に乾燥してカビの増殖を抑制し、掃除等の家事労働負担も減らすことができる浴室乾燥装置および乾燥運転方法を提供することを目的としている。
【００１４】
【課題を解決するための手段】
本発明の請求項１記載の発明は上記目的を達成するために、浴室の空気を換気する換気手段と、浴室の空気を循環する循環手段と、前記循環手段により生成させる循環空気を加熱する加熱手段とを備え、前記換気手段と前記循環手段と前記加熱手段を作動させて浴室を乾燥する乾燥運転を行う浴室乾燥装置において、前記加熱手段の加熱出力を乾燥運転の途上において変更する制御手段を設けた構成としたものである。そして本発明によれば、浴室内の乾燥速度を左右する浴室内の空気の水蒸気分圧に応じて制御手段により加熱手段の加熱出力を調整することにより、少ないエネルギー消費量で効率良く乾燥運転を行うことができる浴室乾燥装置が得られる。
【００１５】
本発明の請求項２記載の発明は、制御手段は、乾燥運転の開始から所定時間経過した時に加熱手段の加熱出力を低下させる構成としたものである。そして本発明によれば、乾燥運転の開始時は加熱手段の加熱出力を高めて浴室内の空気の水蒸気分圧を下げ、所定時間経過して浴室内の空気の水蒸気分圧が十分低下した後に制御手段により加熱手段の出力を低下させ、高温となった浴室内の空気が換気手段により浴室外に排出されることにより生じる熱エネルギーロスを抑制するので、少ないエネルギー消費量で効率良く乾燥運転を行うことができる浴室乾燥装置が得られる。
【００１６】
本発明の請求項３記載の発明は、制御手段は、乾燥運転を開始した後、循環空気の温度が所定値を超えた時に加熱手段の加熱出力を低下させる構成としたものである。そして本発明によれば、乾燥運転の開始時は加熱手段の加熱出力を高めて浴室内の空気の水蒸気分圧を下げ、循環空気の温度、即ち浴室の温度が所定値を超えて浴室内の空気の水蒸気分圧が十分低下した後に制御手段により加熱手段の出力を低下させ、高温となった浴室内の空気が換気手段により浴室外に排出されることにより生じる熱エネルギーロスを抑制するので、少ないエネルギー消費量で効率良く乾燥運転を行うことができる浴室乾燥装置が得られる。
【００１７】
本発明の請求項４記載の発明は、制御手段は、乾燥運転を開始した後、循環空気の湿度が所定値を下回った時に加熱手段の加熱出力を低下させる構成としたものである。そして本発明によれば、乾燥運転の開始時は加熱手段の加熱出力を高めて浴室内の空気の水蒸気分圧を下げ、循環空気の湿度、即ち浴室の湿度が所定値を下回り浴室内の空気の水蒸気分圧が十分低下した後に制御手段により加熱手段の出力を低下させ、高温となった浴室内の空気が換気手段により浴室外に排出されることにより生じる熱エネルギーロスを抑制するので、少ないエネルギー消費量で効率良く乾燥運転を行うことができる浴室乾燥装置が得られる。
【００１８】
本発明の請求項５記載の発明は、制御手段は、設定された乾燥運転時間に対して予め設定した所定割合の時間が経過した時に加熱手段の加熱出力を低下させる構成としたものである。そして本発明によれば、乾燥運転の開始時は加熱手段の加熱出力を高めて浴室内の空気の水蒸気分圧を下げ、設定された乾燥運転時間に対して予め設定した所定割合の時間が経過して浴室内の空気の水蒸気分圧が十分低下した後に制御手段により加熱手段の出力を低下させ、高温となった浴室内の空気が換気手段により浴室外に排出されることにより生じる熱エネルギーロスを抑制するので、少ないエネルギー消費量で効率良く乾燥運転を行うことができる浴室乾燥装置が得られる。
【００１９】
本発明の請求項６記載の発明は、制御手段の加熱出力制御量は、加熱手段の加熱出力の最大値と最小値の２出力である構成としたものである。そして本発明によれば、乾燥運転の開始時は加熱手段の加熱出力を最大値に設定し浴室内の空気の水蒸気分圧を素早く下げ、浴室内の空気の水蒸気分圧が十分低下した後に制御手段により加熱手段の出力を最小値に設定し、高温となった浴室内の空気が換気手段により浴室外に排出されることにより生じる熱エネルギーロスを抑制するので、加熱出力制御量が最大値と最小値の２出力という簡便な構成において少ないエネルギー消費量で効率良く乾燥運転を行うことができる浴室乾燥装置が得られる。
【００２０】
本発明の請求項７記載の発明は、循環手段の主駆動源を直流電動機とした構成としたものである。そして本発明によれば、循環手段の駆動源の消費電力を低減することができる浴室乾燥装置が得られる。
【００２１】
本発明の請求項８記載の発明は、換気手段の主駆動源を直流電動機とした構成としたものである。そして本発明によれば、換気手段の駆動源の消費電力を低減することができる浴室乾燥装置が得られる。
【００２２】
本発明の請求項９記載の発明は、循環手段により創出される循環空気量は、乾燥運転の開始から終了まで常に最大に維持される構成としたものである。そして本発明によれば、低い水蒸気分圧の循環空気を高風量で循環させ浴室内を撹拌し、浴室の壁面や床面からの水分の蒸発作用を促進して効率的に乾燥運転を行うことができる浴室乾燥装置が得られる。
【００２３】
本発明の請求項１０記載の発明は、循環空気を浴室の壁面に沿って吐出させるための第１の風向制御手段を備えた構成としたものである。そして本発明によれば、第１の風向制御手段により決定される循環空気の吐出方向に対して正面に位置する浴室の壁面に低い水蒸気分圧の循環空気を送風することにより、壁面に付着した水分の蒸発作用を促進し効率的な乾燥運転を行うことができる浴室乾燥装置が得られる。
【００２４】
本発明の請求項１１記載の発明は、第１の風向制御手段は、手動で循環空気の吐出方向が変更可能である構成としたものである。そして本発明によれば、第１の風向制御手段により決定される循環空気の吐出方向の正面に位置する浴室の壁面の水分が付着し易い個所に低い水蒸気分圧の循環空気の吐出方向を手動で調整し集中的に送風することにより、壁面に付着した水分の蒸発作用を促進し効率的な乾燥運転を行うことができる浴室乾燥装置が得られる。
【００２５】
本発明の請求項１２記載の発明は、第１の風向制御手段は、自動で循環空気の吐出方向が変更可能である構成としたものである。そして本発明によれば、循環空気の吐出方向を自動で変更させて、第１の風向制御手段により決定される循環空気の吐出方向の正面に位置する浴室の壁面の広い範囲に低い水蒸気分圧の循環空気を送風することにより、壁面の広い範囲に付着した水分の蒸発作用を促進し効率的な乾燥運転を行うことができる浴室乾燥装置が得られる。
【００２６】
本発明の請求項１３記載の発明は、第１の風向制御手段は、循環空気の吐出方向を変更するとともに吐出風速を変更する風速調整作用を有する構成としたものである。そして本発明によれば、循環空気の吐出方向を自動で変更させて、第１の風向制御手段により決定される循環空気の吐出方向の正面に位置する浴室の壁面の広い範囲に低い水蒸気分圧の循環空気を送風し壁面の広い範囲に付着した水分の蒸発作用を促進するとともに、壁面の水分が付着し易い個所には吐出風速を高めて水分の蒸発作用を早め効率的な乾燥運転を行うことができる浴室乾燥装置が得られる。
【００２７】
本発明の請求項１４記載の発明は、第１の風向制御手段により創出される循環空気の吐出方向に対して平行に循環空気を吐出させるための第２の風向制御手段を備えた構成としたものである。そして本発明によれば、第２の風向制御手段により決定される循環空気の吐出方向に対して正面に位置する浴室の壁面、即ち、第１の風向制御手段により決定される循環空気の吐出方向に対して側面に位置する浴室の壁面に低い水蒸気分圧の循環空気を送風することにより、壁面に付着した水分の蒸発作用を促進し効率的な乾燥運転を行うことができる浴室乾燥装置が得られる。
【００２８】
本発明の請求項１５記載の発明は、第２の風向制御手段は、手動で循環空気の吐出方向が変更可能である構成としたものである。そして本発明によれば、第２の風向制御手段により決定される循環空気の吐出方向に対して正面に位置する浴室の壁面、即ち、第１の風向制御手段により決定される循環空気の吐出方向に対して側面に位置する浴室の壁面の水分が付着し易い個所に低い水蒸気分圧の循環空気の吐出方向を手動で調整して集中的に送風することにより、壁面に付着した水分の蒸発作用を促進し効率的な乾燥運転を行うことができる浴室乾燥装置が得られる。
【００２９】
本発明の請求項１６記載の発明は、第２の風向制御手段は、自動で循環空気の吐出方向が変更可能である構成としたものである。そして本発明によれば、循環空気の吐出方向を自動で変更させて、第２の風向制御手段により決定される循環空気の吐出方向に対して正面に位置する浴室の壁面、即ち、第１の風向制御手段により決定される循環空気の吐出方向に対して側面に位置する浴室の壁面の広い範囲に低い水蒸気分圧の循環空気を送風することにより、壁面の広い範囲に付着した水分の蒸発作用を促進し効率的な乾燥運転を行うことができる浴室乾燥装置が得られる。
【００３０】
本発明の請求項１７記載の発明は、第２の風向制御手段は、循環空気の吐出方向を変更するとともに吐出風速を変更する風速調整作用を有する構成としたものである。そして本発明によれば、循環空気の吐出方向を自動で変更させて、第２の風向制御手段により決定される循環空気の吐出方向に対して正面に位置する浴室の壁面、即ち、第１の風向制御手段により決定される循環空気の吐出方向に対して側面に位置する浴室の壁面の広い範囲に低い水蒸気分圧の循環空気を送風し壁面の広い範囲に付着した水分の蒸発作用を促進するとともに、壁面の水分が付着し易い個所には吐出風速を高めて水分の蒸発作用を早め効率的な乾燥運転を行うことができる浴室乾燥装置が得られる。
【００３１】
本発明の請求項１８記載の発明は、加熱手段は、浴室内に輻射熱を照射する輻射ヒーターである構成としたものである。そして本発明によれば、輻射ヒーターの輻射熱を浴室内に照射し、その輻射熱により浴室の壁面および床面に付着した水分の蒸発作用を促進し効率的な乾燥運転を行うことができる浴室乾燥装置が得られる。
【００３２】
本発明の請求項１９記載の発明は、循環空気中の水分を取り去る除湿手段を備えた構成としたものである。そして本発明によれば、除湿手段で循環空気中の水分を取り除き、浴室内の空気の水蒸気分圧を低下させて浴室の壁面あるいは床面に付着した水分の蒸発作用を促進し効率的な乾燥運転を行うことができる浴室乾燥装置が得られる。
【００３３】
本発明の請求項２０記載の発明は、除湿手段は、吸湿部において通過空気より吸湿し、再生部では加熱されて脱湿し再生する吸着材と、前記吸湿部と前記再生部が連続的もしくは断続的に入れ替わるように前記吸着材を回転させる駆動手段を備え、前記吸湿部において循環空気を流通させて循環空気中の水分を吸湿させ、前記再生部において加熱手段の加熱出力の全量もしくは少なくとも一部を用いて前記吸着材を再生し、前記吸着材から脱湿した水分を換気手段により浴室外に排出することにより除湿動作を行う構成としたものである。そして本発明によれば、吸湿部において循環空気中の水分を吸着材で吸湿して取り除き、再生部において吸着材から水分を脱湿し、脱湿した水分を換気手段で排出する動作を連続して行い浴室内の空気の水蒸気分圧を低下させて浴室の壁面あるいは床面に付着した水分の蒸発作用を促進して効率的な乾燥運転を行うことができる浴室乾燥装置が得られる。
【００３４】
本発明の請求項２１記載の発明は、再生部において吸着材より脱湿した水分の全量もしくは一部を凝縮させる凝縮器を備え、前記凝縮器において発生する凝縮潜熱を循環空気に与え循環空気を昇温する構成としたものである。そして本発明によれば、除湿手段で循環空気中の水分を取り除くと共に、除湿した水分を凝縮させ、その凝縮熱を循環空気に与えて、より浴室内の空気の水蒸気分圧の低下を促すことにより、浴室の壁面あるいは床面に付着した水分の蒸発作用を促進して効率的な乾燥運転を行うことができる浴室乾燥装置が得られる。
【００３５】
本発明の請求項２２記載の発明は、凝縮器に発生した結露水を浴室外へ排出する結露水排出手段を備えた構成としたものである。そして本発明によれば、凝縮器に発生した結露水の手動での排水作業を生じること無く、除湿した水分を凝縮させ、その凝縮熱を循環空気に与えて、浴室内の空気の水蒸気分圧の低下を促し、浴室の壁面あるいは床面に付着した水分の蒸発作用を促進して効率的な乾燥運転を行うことができる浴室乾燥装置が得られる。
【００３６】
本発明の請求項２３記載の発明は、結露水排出手段は、凝縮器に発生した結露水を蒸発気化させる蒸発手段を備え、前記蒸発手段で結露水が蒸発気化することにより発生する水蒸気を換気手段で浴室外へ排出する構成としたものである。そして本発明によれば、凝縮器に発生した結露水を蒸発手段により蒸発気化させ、気化した水分を含む水蒸気を換気手段により浴室外に排出するので、結露水の手動での排水作業を生じること無く、除湿した水分を凝縮させ、その凝縮熱を循環空気に与えて、浴室内の空気の水蒸気分圧の低下を促し、浴室の壁面あるいは床面に付着した水分の蒸発作用を促進して効率的な乾燥運転を行うことができる浴室乾燥装置が得られる。
【００３７】
本発明の請求項２４記載の発明は、人検知手段とＵＶ灯を備えた構成とし、浴室乾燥運転時、人検知手段により浴室内に人が存在しない場合は、ＵＶ灯を点灯し浴室内のカビ繁殖の防止をおこなうことができる浴室乾燥装置が得られる。
【００３８】
【発明の実施の形態】
以下、本発明の実施例について図面を参照しながら説明する。なお、従来例と同一の部分については、同一番号を付し詳細な説明は省略する。
【００３９】
（実施例１）
まず本発明における浴室乾燥装置の概略構成について説明する。図１は本発明の第１の実施例における浴室乾燥装置の概略構成を示す概略断面図である。図１に示したように、この浴室乾燥装置は、浴室内の天井に設置された本体１０１に浴室内に空気を換気する換気手段１０２と、浴室内の空気を循環させる循環手段１０３と、循環手段１０３により生成される循環空気を加熱する加熱手段１０４とが設けられており、換気手段１０２は、本体１０１を構成するハウジング下部に開口した吸気口１０５と、吸気口１０５より浴室の空気を吸引する換気ファン１０６と、換気ファン１０６の駆動源である換気用直流モータ１と、本体１０１内に設けた隔壁によって構成した換気風路１０８とから構成され、換気風路１０８の出口は屋外に開口した図示しないダクトに接続される排気口１０９となっている。
【００４０】
また、循環手段１０３は換気手段同様に本体１０１を構成するハウジングの下部に開口した吸気口１０５と、吸気口１０５から吸気した浴室の空気をハウジングの下部に開口している吐出口１１０から吐出することを繰り返すことによって浴室内の空気を循環させる循環ファン１１１と、循環ファン１１１の駆動源である循環用直流モータ２と、本体１０１内に設けた隔壁によって構成した循環風路１１３と、循環風路１１３の出口を構成する吐出口１１０とを備えている。
【００４１】
また、加熱手段１０４は、循環風路１１３中に在って通電されることにより輻射熱を照射する２個の輻射ヒーター３ａ、３ｂと、この輻射ヒーター３ａ、３ｂの輻射熱を全て浴室方向に反射するための反射板４から構成され、これら輻射ヒーター３ａ、３ｂの作動と換気用直流モータ１の駆動、即ち換気ファン１０６の作動、循環用直流モータ２の駆動、即ち循環ファン１１１の作動を各々選択的に操作することにより、浴室換気運転、浴室涼風運転、浴室暖房運転、浴室乾燥運転を行う制御手段５を設けた構成となっている。制御手段５には換気用直流モータ１、循環用直流モータ２および輻射ヒータ３の作動を制御する制御部６の他にコントローラからの運転指示を受ける受信部７と、運転時間を積算するタイマー８とを備えている。
【００４２】
以上の構成において、次に運転動作を説明する。浴室換気運転、浴室涼風運転、浴室暖房運転の各々の運転モードにおける換気用直流モータ１の駆動、即ち換気ファン１０６の作動、循環直流モータ２の駆動、即ち循環ファン１１１の作動、輻射ヒーター３ａ、３ｂの作動は従来例と同様であり、ここでは浴室乾燥運転モードにおける詳細動作を説明する。図２は本発明の第１の実施例における浴室乾燥装置の浴室乾燥運転時の動作を示す動作説明図である。図２に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に輻射ヒーター３ａ、３ｂに通電し浴室に輻射熱を照射するとともにタイマー８をスタートさせて浴室乾燥運転時間の積算を開始する。
【００４３】
浴室乾燥運転中は、循環ファン１１１により循環する浴室空気は、循環経路１１３に在る輻射ヒーター３ａ、３ｂにより加熱されて循環を繰り返す。この循環により浴室空気の水蒸気分圧は低下し、この水蒸気分圧の低い浴室内の空気が循環用直流モータ２で最大回転数で回っている循環ファン１１１によって高風量で浴室内を撹拌するため、浴室の壁面や床面に付着した水分の蒸発作用が高められ浴室内の乾燥が行われる。加えて輻射ヒーター３ａ、３ｂから照射される輻射熱によって輻射熱を受けた壁面や床面に付着した水分の蒸発が更に促される。これらの動作によって蒸発した水分は水蒸気となって浴室内の空気に含まれ換気ファン１０６の運転により吸気口１０５から換気経路１０８を通って浴室外へ排出され、グリル１１５より吸気される湿度の低い空気と入れ替わって浴室内の空気の水蒸気分圧が低下していくことになる。
【００４４】
この浴室内の空気の水蒸気分圧が十分低下した段階、即ちタイマー８が予め定めた所定時間Δｔの積算を完了した段階で、輻射ヒーター３ａ、３ｂの通電のみを停止し、換気用直流モータ１、循環用直流モータ２の運転はこれまで同様に継続するのである。
【００４５】
この加熱手段１０４の出力切替ポイントは、輻射ヒーター３ａ、３ｂで熱エネルギーを与えて浴室内の空気の水蒸気分圧を低下させることによる浴室内付着水分の蒸発作用促進効果度合と、換気手段１０２による浴室内空気と浴室外空気の入れ替わりによるエネルギーロスとのバランスにより決定するのが望ましく、即ち、浴室乾燥運転開始直後は、浴室内の空気温度が低いため輻射ヒーター３ａ、３ｂの熱エネルギーを与えて水蒸気分圧を低下させることによる浴室内付着水分の蒸発作用促進効果が大きいが、乾燥運転時間が経過するに従い浴室内の空気温度が上昇し換気手段１０２による浴室内空気と浴室外空気の入れ替わりによるエネルギーロスが増加し、投入した熱エネルギーの乾燥に有効に使われる割合が減少するため、換気による熱エネルギーロスが増大した段階を予め算出しΔｔ時間として設定し、Δｔ時間経過時に輻射ヒーター３ａ、３ｂの動作のみを停止させるのである。
【００４６】
輻射ヒーター３ａ、３ｂが停止した後でも、浴室内の空気の水蒸気分圧は十分低下しているので、その低い水蒸気分圧の空気を循環ファン１１２により浴室内において撹拌することにより、浴室の壁面や床面に付着した水分の蒸発作用を効果は継続し浴室内の乾燥は促進することになる。
【００４７】
以上の浴室乾燥運転動作を実行することにより、従来の浴室乾燥運転、省エネ浴室乾燥運転に比較して乾燥時間は長くなるものの、乾燥運転で消費される電力量を少なくすることが可能となる。例えば温度２０℃、湿度６０％の雰囲気条件下で、換気用直流モータ１の消費電力約２５Ｗで浴室からの換気量が約９０ｍ３／ｈ、循環用直流モータ２の消費電力約１０Ｗで循環風量約３００ｍ３／ｈ、輻射ヒーター３ａ、３ｂの消費電力が約１４００Ｗ（１本当り約７００Ｗ）の機器構成において、浴室乾燥運転開始から輻射ヒーター３ａ、３ｂの通電時間Δｔを１．５時間に設定した場合に、乾燥運転終了までの時間は約８時間であり、乾燥運転で消費される電力量は、従来の省エネ乾燥運転ではランニングコストが約２５０円であったのに対し本実施例では約５０円となり、約１／５に低減が可能であることを確認した。
【００４８】
以上のように本実施例の浴室乾燥装置は、制御手段５により浴室乾燥運転の開始時は輻射ヒーター３ａ、３ｂ共に運転し最大の加熱出力を循環空気に与えて浴室内の空気の水蒸気分圧を急速に低下させて乾燥を促進し、所定時間Δｔが経過して浴室内の空気の水蒸気分圧が十分低下した後に輻射ヒーター３ａ、３ｂへの通電を停止し、高温となった浴室内の空気が換気動作により浴室外に排出させることにより生じる熱エネルギーロスを抑制しつつ、水蒸気分圧が下がった乾燥空気を循環させて水分の蒸発を促しながら、換気動作によって浴室外の乾燥空気との入替えを実行するものであるから、少ないエネルギー消費量で効率良く浴室乾燥運転を行うことができるのである。
【００４９】
また、浴室乾燥運転中は、輻射ヒーター３ａ、３ｂの通電の入り切りの同時実行のみを行うため、制御装置を複雑化することなく、簡易かつ安価な構成で効率の良い浴室乾燥運転が実行できるのである。
【００５０】
また、換気手段１０２の駆動源として換気用直流モータ１を用いているため、換気ファン１０６の駆動電力を少なく抑えるとともに、排気ダクトの抵抗に依らず常に安定した必要換気量を確保することができ、２４時間換気運転モードにも対応できるのである。
【００５１】
また、循環手段１０３の駆動源として循環用直流モータ２を用いているため、循環ファン１１１の駆動電力を少なく抑えるとともに、容易に循環ファン１１１の最大出力での運転が実現できるのである。
【００５２】
また、浴室乾燥運転時においては常に循環用直流モータ２にて循環ファン１１１を最大の回転数で運転しているので、低い水蒸気分圧の循環空気を高風量で循環させて浴室内を撹拌し、浴室の壁面や床面からの水分の蒸発作用を促進することにより、効率的に乾燥運転を行うことができるのである。
【００５３】
また、加熱手段１０４として輻射ヒーター３ａ、３ｂを用いているため、輻射ヒーター３ａ、３ｂにより加熱され低い水蒸気分圧となった循環空気の浴室内循環による水分蒸発作用に加えて、輻射ヒーター３ａ、３ｂが照射する輻射熱により浴室の壁面および床面に付着した水分の蒸発作用を促進することにより、効率的な乾燥運転を行うことができるのである。
【００５４】
なお、本実施例において循環空気を加熱する加熱手段１０４に輻射ヒーター３ａ、３ｂを用いたが、輻射ヒーターに限らず、循環空気を加熱可能なものであれば良く、例えばセラミックヒーター（ＰＴＣヒーター）、シーズヒーター、ニクロムヒーターでも同様の効果が得られ、更には内部に高温の流体が流れる熱交換器を設けても良い。高温の流体としては、温水ボイラ、ＣＯ２ヒートポンプ給湯機、コージェネ排熱等を熱源とする温水や、直膨式ヒートポンプを熱源とするＲ４１０Ａ、ＣＯ２等の冷媒を用いれば良い。
【００５５】
また、浴室乾燥運転開始から輻射ヒーター３ａ、３ｂの通電を切るまでの所定時間Δｔは予め設定するのではなく、図３に示す動作説明図のように、図示しないコントローラより設定された乾燥運転時間の所定割合としても良い。例えば所定割合を２５％に予め設定し、浴室乾燥運転の設定時間が４時間の場合には輻射ヒーターの通電時間を運転開始から４時間×２５％＝１時間、浴室乾燥運転の設定時間が８時間の場合には輻射ヒーターの通電時間を運転開始から８時間×２５％＝２時間とし、浴室乾燥運転の設定時間が１２時間の場合には輻射ヒーターの通電時間を運転開始から１２時間×２５％＝３時間として選択余地を高めることにより、様々な浴室サイズや多様な条件に見合った浴室乾燥運転が実行できるのである。
【００５６】
また、浴室乾燥運転開始から所定時間Δｔ経過時に輻射ヒーター３ａ、３ｂの通電を同時に切る制御方法としたが、浴室の広さに応じて段階的に加熱量を減少させても良い。例えば図４に示す動作説明図のように、浴室乾燥運転開始から所定時間Δｔ１経過した時に輻射ヒーター３ａのみ通電を停止し、その後所定時間Δｔ２経過した時に輻射ヒーター３ｂの通電を停止する。そして浴室乾燥運転終了時に換気用直流モータ１および循環用直流モータ２の駆動を停止し浴室乾燥運転を終了する制御動作としても省エネ効果が得られるのである。
【００５７】
また、浴室乾燥運転終了時に換気用直流モータ１および循環用直流モータ２の全ての駆動を停止する運転方法としたが、浴室乾燥運転終了後も換気用直流モータ１の運転を継続し２４時間換気運転に対応させても良い。その際には換気用直流モータ１の消費電力が低いので、省エネの２４時間換気運転を行うことができるのである。
【００５８】
（実施例２）
本実施例において、実施例１と同一部分については同一の記号を付し、詳細な説明は省略する。ここでは浴室乾燥運転時の輻射ヒーター３ａ、３ｂを通電停止判断を循環空気の温度を用いて実行する場合について述べる。
【００５９】
図５は本発明の第２の実施例における浴室乾燥装置の概略構成を示した概略断面図である。図５に示したように、循環経路１１３内に吸気口１０５より吸込まれる循環空気の温度を検出する温度センサ９を設け、制御手段５はこの温度センサ９の検出温度を取りこんで、輻射ヒーター３ａ、３ｂの作動と換気用直流モータ１の駆動、即ち換気ファン１０６の作動、循環用直流モータ２の駆動、即ち循環ファン１１１の作動を操作する構成となっている。
【００６０】
以上の構成において、次に運転動作を説明する。
【００６１】
浴室換気運転、浴室涼風運転、浴室暖房運転の各々の運転モードにおける換気用直流モータ１の駆動、即ち換気ファン１０６の作動、循環直流モータ２の駆動、即ち循環ファン１１１の作動、輻射ヒーター３ａ、３ｂの作動は従来例と同様であり、ここでは浴室乾燥運転モードにおける詳細動作を説明する。図６は本発明の第２の実施例における浴室乾燥装置の浴室乾燥運転時の動作を示す動作説明図である。図６に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に輻射ヒーター３ａ、３ｂに通電し浴室に輻射熱を照射するとともに温度センサ９が検出する吸気口１０５より本体１０１に吸込まれる循環空気の温度、即ち浴室温度を制御手段５に取り込む。
【００６２】
浴室乾燥運転中は、循環ファン１１１により循環する浴室空気は、循環経路１１３に在る輻射ヒーター３ａ、３ｂにより加熱されて循環を繰り返す。この循環により浴室空気の水蒸気分圧は低下し、この水蒸気分圧の低い浴室内の空気が循環用直流モータ２で最大回転数で回っている循環ファン１１１によって高風量で浴室内を撹拌するため、浴室の壁面や床面に付着した水分の蒸発作用が高められ浴室内の乾燥が行われる。加えて輻射ヒーター３ａ、３ｂから照射される輻射熱によって輻射熱を受けた壁面や床面に付着した水分の蒸発が更に促される。これらの動作によって蒸発した水分は水蒸気となって浴室内の空気に含まれ換気ファン１０６の運転により吸気口１０５から換気経路１０８を通って浴室外へ排出され、グリル１１５より吸気される湿度の低い空気と入れ替わって浴室内の空気の水蒸気分圧が低下していくことになる。
【００６３】
この浴室内の空気の水蒸気分圧が十分低下した段階は浴室内の空気温度で判断できる。即ち温度センサ９により検出される循環空気の温度、即ち浴室内の空気温度が予め定めた所定値Ｋを上回った段階で、輻射ヒーター３ａ、３ｂの通電のみを停止し、換気用直流モータ１、循環用直流モータ２の運転はこれまで同様に継続するものである。
【００６４】
この加熱手段１０４の出力切替ポイントは、輻射ヒーター３ａ、３ｂで熱エネルギーを与えて浴室内の空気の水蒸気分圧を低下させることによる浴室内付着水分の蒸発作用促進効果度合と、換気手段１０２による浴室内空気と浴室外空気の入れ替わりによるエネルギーロスとのバランスにより決定するのが望ましく、即ち、浴室乾燥運転開始直後は、浴室内の空気温度が低いため輻射ヒーター３ａ、３ｂの熱エネルギーを与えて水蒸気分圧を低下させることによる浴室内付着水分の蒸発作用促進効果が大きいが、乾燥運転時間が経過するに従い浴室内の空気温度が上昇し換気手段１０２による浴室内空気と浴室外空気の入れ替わりによるエネルギーロスが増加し、投入した熱エネルギーの乾燥に有効に使われる割合が減少するため、換気による熱エネルギーロスが増大した段階を浴室内の空気温度で検出し、輻射ヒーター３ａ、３ｂの動作のみを停止させるのである。
【００６５】
輻射ヒーター３ａ、３ｂが停止した後でも、浴室内の空気の水蒸気分圧は十分低下しているので、その低い水蒸気分圧の空気を循環ファン１１１により浴室内において撹拌することにより、浴室の壁面や床面に付着した水分の蒸発作用を効果は継続し浴室内の乾燥は促進することになる。
【００６６】
以上のような浴室乾燥運転動作を実行することにより、従来の浴室乾燥運転、省エネ浴室乾燥運転に比較して乾燥時間は長くなるものの、乾燥運転で消費される電力量を少なくすることが可能となる。例えば温度２０℃、湿度６０％の雰囲気条件下で、換気用直流モータ１の消費電力約２５Ｗで換気量が約９０ｍ３／ｈ、循環用直流モータ２の消費電力約１０Ｗで循環風量約３００ｍ３／ｈ、輻射ヒーター３ａ、３ｂの消費電力が約１４００Ｗ（１本当り約７００Ｗ）の機器構成において、温度センサ９の検出温度が約３８℃で輻射ヒーター３ａ、３ｂの通電を切る運転方法とした場合に、浴室乾燥運転開始から約１．５時間で輻射ヒーター３ａ、３ｂが停止し、約８時間で乾燥運転は終了した。この時の乾燥運転で消費される電力量は、従来の省エネ乾燥運転ではランニングコストが約２５０円であったのに対し本実施例では約５０円となり、約１／５に低減が可能であることを確認した。
【００６７】
以上のように本実施例の浴室乾燥装置は、制御手段５により浴室乾燥運転の開始時は輻射ヒーター３ａ、３ｂ共に運転し最大の加熱出力を循環空気に与えて温度を高め、浴室内の空気の水蒸気分圧を急速に低下させて乾燥を促進し、浴室内の空気温度が所定値まで上昇して浴室内の空気の水蒸気分圧が十分低下した後に輻射ヒーター３ａ、３ｂへの通電を停止し、高温となった浴室内の空気が換気動作により浴室外に排出させることにより生じる熱エネルギーロスを抑制しつつ、水蒸気分圧が下がった乾燥空気を循環させて水分の蒸発を促しながら、換気動作によって浴室外の乾燥空気との入替えを実行するものであるから、少ないエネルギー消費量で効率良く浴室乾燥運転を行うことができるのである。
【００６８】
なお、本実施例において循環空気を加熱する加熱手段１０４に輻射ヒーター３ａ、３ｂを用いたが、輻射ヒーターに限らず、循環空気を加熱可能なものであれば良く、例えばセラミックヒーター（ＰＴＣヒーター）、シーズヒーター、ニクロムヒーターでも同様の効果が得られ、更には内部に高温の流体が流れる熱交換器を設けても良い。高温の流体としては、温水ボイラ、ＣＯ２ヒートポンプ給湯機、コージェネ排熱等を熱源とする温水や、直膨式ヒートポンプを熱源とするＲ４１０Ａ、ＣＯ２等の冷媒を用いれば良い。
【００６９】
また、浴室乾燥運転開始から温度センサ９の検出温度が所定値Ｔ到達時に輻射ヒーター３ａ、３ｂの通電を同時に切る制御方法としたが、浴室の広さに応じて段階的に加熱量を減少させても良い。例えば図７に示す動作説明図のように、温度センサ９により検出される循環空気温度が所定値Ｋ１を上回った時に輻射ヒーター３ａのみ通電を停止し、その後所定値Ｋ２を上回った時に輻射ヒーター３ｂの通電を停止する。そして浴室乾燥運転終了時に換気用直流モータ１および循環用直流モータ２の駆動を停止し浴室乾燥運転を終了する制御動作としても省エネ効果が得られるのである。
【００７０】
また、浴室乾燥運転終了時に換気用直流モータ１および循環用直流モータ２の全ての駆動を停止する運転方法としたが、浴室乾燥運転終了後も換気用直流モータ１の運転を継続し２４時間換気運転に対応させても良い。その際には換気用直流モータ１の消費電力が低いので、省エネの２４時間換気運転を行うことができるのである。
【００７１】
（実施例３）
本実施例において、実施例１および実施例２と同一部分については同一の記号を付し、詳細な説明は省略する。ここでは浴室乾燥運転時の輻射ヒーター３ａ、３ｂを通電停止判断を循環空気の湿度を用いて実行する場合について述べる。
【００７２】
図８は本発明の第３の実施例における浴室乾燥装置の概略構成を示した概略断面図である。図８に示したように、循環経路１１３内に吸気口１０５より吸込まれる循環空気の湿度を検出する湿度センサ１０を設け、制御手段５はこの湿度センサ１０の検出湿度を取りこんで、輻射ヒーター３ａ、３ｂの作動と換気用直流モータ１の駆動、即ち換気ファン１０６の作動、循環用直流モータ２の駆動、即ち循環ファン１１１の作動を操作する構成となっている。
【００７３】
以上の構成において、次に運転動作を説明する。浴室換気運転、浴室涼風運転、浴室暖房運転の各々の運転モードにおける換気用直流モータ１の駆動、即ち換気ファン１０６の作動、循環直流モータ２の駆動、即ち循環ファン１１１の作動、輻射ヒーター３ａ、３ｂの作動は従来例と同様であり、ここでは浴室乾燥運転モードにおける詳細動作を説明する。図９は本発明の第３の実施例における浴室乾燥装置の浴室乾燥運転時の動作を示す動作説明図である。図９に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に輻射ヒーター３ａ、３ｂに通電し浴室に輻射熱を照射するとともに湿度センサ１０が検出する吸気口１０５より本体１０１に吸込まれる循環空気の湿度、即ち浴室湿度を制御手段５に取り込む。
【００７４】
浴室乾燥運転中は、循環ファン１１１により循環する浴室空気は、循環経路１１３に在る輻射ヒーター３ａ、３ｂにより加熱されて循環を繰り返す。この循環により浴室空気の水蒸気分圧は低下し、この水蒸気分圧の低い浴室内の空気が循環用直流モータ２で最大回転数で回っている循環ファン１１１によって高風量で浴室内を撹拌するため、浴室の壁面や床面に付着した水分の蒸発作用が高められ浴室内の乾燥が行われる。加えて輻射ヒーター３ａ、３ｂから照射される輻射熱によって輻射熱を受けた壁面や床面に付着した水分の蒸発が更に促される。これらの動作によって蒸発した水分は水蒸気となって浴室内の空気に含まれ換気ファン１０６の運転により吸気口１０５から換気経路１０８を通って浴室外へ排出され、グリル１１５より吸気される湿度の低い空気と入れ替わって浴室内の空気の水蒸気分圧が低下していくことになる。
【００７５】
この浴室内の空気の水蒸気分圧が十分低下した段階は浴室内の空気湿度でも判断できる。即ち湿度センサ１０により検出される循環空気の湿度、即ち浴室内の空気湿度が予め定めた所定値Ｈを下回った段階で、輻射ヒーター３ａ、３ｂの通電のみを停止し、換気用直流モータ１、循環用直流モータ２の運転はこれまで同様に継続するものである。
【００７６】
この加熱手段１０４の出力切替ポイントは、輻射ヒーター３ａ、３ｂで熱エネルギーを与えて浴室内の空気の水蒸気分圧を低下させることによる浴室内付着水分の蒸発作用促進効果度合と、換気手段１０２による浴室内空気と浴室外空気の入れ替わりによるエネルギーロスとのバランスにより決定するのが望ましく、即ち、浴室乾燥運転開始直後は、浴室内の空気温度が低いため輻射ヒーター３ａ、３ｂの熱エネルギーを与えて水蒸気分圧を低下させることによる浴室内付着水分の蒸発作用促進効果が大きいが、乾燥運転時間が経過するに従い浴室内の空気温度が上昇し換気手段１０２による浴室内空気と浴室外空気の入れ替わりによるエネルギーロスが増加し、投入した熱エネルギーの乾燥に有効に使われる割合が減少するため、換気による熱エネルギーロスが増大した段階を浴室内の空気湿度で検出し、輻射ヒーター３ａ、３ｂの動作のみを停止させるのである。
【００７７】
輻射ヒーター３ａ、３ｂが停止した後でも、浴室内の空気の水蒸気分圧は十分低下しているので、その低い水蒸気分圧の空気を循環ファン１１２により浴室内において撹拌することにより、浴室の壁面や床面に付着した水分の蒸発作用を効果は継続し浴室内の乾燥は促進することになる。
【００７８】
以上のような浴室乾燥運転動作を実行することにより、従来の浴室乾燥運転、省エネ浴室乾燥運転に比較して乾燥時間は長くなるものの、乾燥運転で消費される電力量を少なくすることが可能となる。例えば温度２０℃、湿度６０％の雰囲気条件下で、換気用直流モータ１の消費電力約２５Ｗで換気量が約９０ｍ３／ｈ、循環用直流モータ２の消費電力約１０Ｗで循環風量約３００ｍ３／ｈ、輻射ヒーター３ａ、３ｂの消費電力が約１４００Ｗ（１本当り約７００Ｗ）の機器構成において、湿度センサ１０の検出湿度が４０％で輻射ヒーター３ａ、３ｂの通電を切る運転方法とした場合に、浴室乾燥運転開始から１．５時間で輻射ヒーター３ａ、３ｂが停止し、約８時間で乾燥運転は終了した。この時の乾燥運転で消費される電力量は、従来の省エネ乾燥運転では約２５０円であったのに対し本実施例では約５０円となり、約１／５に低減が可能であることを確認した。
【００７９】
以上のように本実施例の浴室乾燥装置は、制御手段５により浴室乾燥運転の開始時は輻射ヒーター３ａ、３ｂ共に運転し最大の加熱出力を循環空気に与えて温度を高め、浴室内の空気の水蒸気分圧を急速に低下させて乾燥を促進し、浴室内の空気温度が所定値まで上昇して浴室内の空気の水蒸気分圧が十分低下した後に輻射ヒーター３ａ、３ｂへの通電を停止し、高温となった浴室内の空気が換気動作により浴室外に排出させることにより生じる熱エネルギーロスを抑制しつつ、水蒸気分圧が下がった乾燥空気を循環させて水分の蒸発を促しながら、換気動作によって浴室外の乾燥空気との入替えを実行するものであるから、少ないエネルギー消費量で効率良く浴室乾燥運転を行うことができるのである。
【００８０】
なお、本実施例において循環空気を加熱する加熱手段１０４に輻射ヒーター３ａ、３ｂを用いたが、輻射ヒーターに限らず、循環空気を加熱可能なものであれば良く、例えばセラミックヒーター（ＰＴＣヒーター）、シーズヒーター、ニクロムヒーターでも同様の効果が得られ、更には内部に高温の流体が流れる熱交換器を設けても良い。高温の流体としては、温水ボイラ、ＣＯ２ヒートポンプ給湯機、コージェネ排熱等を熱源とする温水や、直膨式ヒートポンプを熱源とするＲ４１０Ａ、ＣＯ２等の冷媒を用いれば良い。
【００８１】
また、浴室乾燥運転開始から湿度センサ１０の検出湿度が所定値Ｈを下回った時に輻射ヒーター３ａ、３ｂの通電を同時に切る制御方法としたが、浴室の広さに応じて段階的に加熱量を減少させても良い。例えば図１０に示す動作説明図のように、湿度センサ１０により検出される循環空気湿度が所定値Ｈ１を下回った時に輻射ヒーター３ａのみ通電を停止し、その後所定値Ｈ２を下回った時に輻射ヒーター３ｂの通電を停止する。そして浴室乾燥運転終了時に換気用直流モータ１および循環用直流モータ２の駆動を停止し浴室乾燥運転を終了する制御動作としても省エネ効果が得られるのである。
【００８２】
また、浴室乾燥運転終了時に換気用直流モータ１および循環用直流モータ２の全ての駆動を停止する運転方法としたが、浴室乾燥運転終了後も換気用直流モータ１の運転を継続し２４時間換気運転に対応させても良い。その際には換気用直流モータ１の消費電力が低いので、省エネの２４時間換気運転を行うことができるのである。
【００８３】
（実施例４）
本実施例において、実施例１と実施例２、及び実施例３と同一部分については同一の記号を付し、詳細な説明は省略する。本実施例では、循環空気の吐出方法について述べる。図１１は実施例における浴室乾燥装置の概略構成、及び風の流れの概略図を示したものである。図１１に示したように、この浴室乾燥装置は、本体１０１を構成するハウジングの下部に開口した吸気口１０５から循環ファン１１１によって吸気した循環空気を吐出口１１０から吐出させ、前記吐出口１１０の近傍部に第１の風向制御手段１１を複数個下部が循環空気の吐出方向に対して正面に位置する浴室壁面１２の方向に向くような傾きになるように固定配置し、この第１の風向制御手段１１により吐出口１１０より吐出される循環空気の吐出方向に対して正面に位置する浴室壁面１２に集中的に循環空気を送風できる構成とする。
【００８４】
以上のように本実施例の浴室乾燥装置は、循環空気を吐出方向に対して正面に位置する浴室壁面に集中的に送風するものであるから、吐出方向に対して正面に位置する浴室壁面に付着している水滴の蒸発作用が促進され浴室壁面を短時間で乾燥することができる。
【００８５】
また、前記第１の風向制御手段１１において別の方式について説明する。図１２の上段、及び下段の図は本体１０１を構成するハウジングの下部に開口した吸気口１０５と吐出口１１０の近傍のみの断面図を示した図である。図１２の上段、及び下段の図に示すように第１の風向制御手段１１に連結桟１４により複数個の第１の風向制御手段１１を連結し、その第１の連結桟１４に第１の取っ手１５を有する構成とする。
【００８６】
前記の構成において、次に第１の風向制御手段１１の動きについて説明する。図１２の上段の図に示すように第１の取っ手１５を手動にて矢印の方向に引いた場合は第１の風向制御手段１１は下部が循環空気の吐出方向に対して正面に位置する浴室壁面１２の方向に向くような傾きになるように変化し、この場合は循環空気は吐出方向に対して正面の浴室壁面１２の方向に吐出される。この場合は吐出方向に対して正面の浴室壁面１２に付着している水滴の蒸発作用が促進され短時間にて壁面乾燥がおこなえる。
【００８７】
逆に吸気口側に位置する浴室壁面１３の方向に循環空気を吐出したい場合は、図１２の下段に示すように第１の取っ手１５を手動にて矢印の方向に引き、第１の風向制御手段１１の下部が吸気口側に位置する浴室壁面１３の方向に向くような傾きになるように変化させる。この場合は吸気口側に位置する浴室壁面１３に付着している水滴の蒸発作用が促進され短時間にて浴室壁面１３の壁面乾燥がおこなえる。
【００８８】
また、図示しないが第１の風向制御手段１１を垂直になるように第１の取っ手１５を手動にて操作した場合は、循環空気は真下に吐出するようになる。この場合は真下に位置する図示しない本体１０１の真下に位置する浴室床面に向くように吐出され浴室床面の水滴の蒸発作用が促進され、浴室床面の短時間乾燥がおこなえる。
【００８９】
前記記載の動作を手動にておこなえるような構成の浴室乾燥装置であるから、所望する浴室壁面を短時間にて浴室乾燥をできるものである。もちろん、前記記載の動作を組み合わせて周期的、もしくは繰り返しておこなうことも可能であり、動作を組み合わせることによりムラなく浴室壁面の水滴の蒸発作用が促進され、さらなる効率的な浴室乾燥をできる。
【００９０】
さらに、第１の風向制御手段１１において別の方式について説明する。図１３上段、及び下段の図は本体１０１を構成するハウジングの下部に開口した吸気口１０５と吐出口１１０の近傍のみの断面図を示した図である。図１３の上段、及び下段の図に示すように第１の風向制御手段１１に第１の連結桟１４により複数個の第１の風向制御手段１１を連結し、その第１の連結桟１４に第１の駆動用モーター１６を取付、第１の駆動用モーター１６が回転することにより第１の連結桟１４が可動する構成とする。また、第１の駆動用モーター１６は第１の駆動制御手段１７によって制御される構成とする。
【００９１】
前記構成において、次に第１の風向制御手段１１の動きについて説明する。
【００９２】
図１３の上段の図に示すように第１の駆動制御手段１７によって第１の駆動用モーター１６を矢印の方向に回転させた場合、第１の風向制御手段１１は下部が循環空気の吐出方向に対して正面に位置する浴室壁面１２の方向に向くような傾きになるように変化し、この場合は循環空気は吐出方向に対して正面の浴室壁面１２の方向に吐出される。この場合は吐出方向に対して正面の浴室壁面１２に付着している水滴の蒸発作用が促進され短時間にて浴室壁面１２の壁面乾燥がおこなえる。
【００９３】
逆に吸気口側に位置する浴室壁面１３の方向に循環空気を吐出させたい場合は、図１３の下段に示すように第１の駆動制御手段１７によって第１の駆動用モーター１６を矢印の方向に回転させ、第１の風向制御手段１１の下部が吸気口側に位置する浴室壁面１３の方向に向くような傾きになるように変化し、吸気口側に位置する浴室壁面１３に付着している水滴の蒸発作用が促進され短時間にて浴室壁面１３の壁面乾燥がおこなえる。
【００９４】
また、図示しないが第１の風向制御手段１１を垂直になるように第１の駆動制御手段１７によって第１の駆動用モーター１６を駆動させ循環空気が真下に吐出するように第１の風向制御手段を制御した場合は真下に位置する図示しない本体１０１の真下に位置する浴室床面に向くように吐出され、浴室床面の水滴の蒸発作用が促進され、浴室床面の短時間乾燥がおこなえる。
【００９５】
前記記載の動作を第１の駆動制御手段１７によって第１の駆動用モーター１６を制御することにより自動的におこなえる浴室乾燥装置であるから自動的に短時間にて浴室乾燥をできるものである。もちろん、前記記載の動作を組み合わせて周期的、もしくはある一定リズム的（例えば、ゆらぎリズム）におこなうことも可能であり、動作を組み合わせることによりムラなく浴室壁面の水滴の蒸発作用が促進され、自動的におこなえるため人の手を煩わせずさらなる効率的な浴室乾燥をできる。
【００９６】
さらに、別の方式について説明する。図１４の上段、下段図は第１の風向制御手段１１の近傍のみの断面図である。図１４の上段、下段図に示すように第１の風向制御手段１１、第１の連結桟１４、及び第１の駆動用モーター１６とは別に第２の風向制御手段１８を第２の連結桟１９にて複数個連結し、第２の駆動用モーター２０が回転することにより第２の風向制御手段１８が可動する構成とする。この第２の風向制御手段１８と第１の風向制御手段１１を組み合わせ、第１の風向制御手段１１と第２の風向制御手段１８の間に吐出風通過風路２１が形成される構成とする。吐出風通過風路２１は第１の風向制御手段１１と第２の風向制御手段１８との動きにより可変される。図１４上段図に示すように第１の風向手段１１を第１の駆動用モーター１６を矢印の方向に回転させることにより第１の風向制御手段１１は下部が循環空気の吐出方向に対して正面に位置する浴室壁面１２の方向に向くような傾きとし、第２の風向手段１８を第２の駆動用モーター２０を矢印の方向に回転させることにより第２の風向制御手段１８は下部が吸気口側に位置する浴室壁面１３の方向に向くような傾きとなる。この場合は吐出風通過風路２１は小さくなり、通過する循環空気の風速は速くなり、壁面にスポット的に循環風をあてることができ、より壁面に付着した水滴の蒸発作用を促進できるため壁面乾燥を短時間でおこなえる。
【００９７】
また、図１４の下段図に示すように第２の風向手段１８を第２の駆動用モーター２０を矢印の方向に回転させることにより第２の風向制御手段１８を第１の風向制御手段１１と平行の傾きになるようにした場合は、吐出風通過風路２１は大きくなり、通過する循環空気の風量が多くなり、スポット的ではなくより広い範囲に循環空気を浴室壁面にあて浴室壁面の水滴の蒸発作用を促進し短時間での浴室乾燥がおこなえる。
【００９８】
図示しないが、前記第１の風向手段１１と第２の風向手段１８は真下に吐出させる方向にもできるため、真下の浴室床面も乾燥がおこなえる。
【００９９】
前記記載の動作を第１の風向制御手段１１と第２の風向制御手段１８を第１の駆動用モーター１６と第２の駆動用モーター２０により自動的に制御することがおこなえる浴室乾燥装置であるから、短時間にて浴室乾燥をできるものである。もちろん、前記記載の動作を組み合わせて周期的、もしくは繰り返し的におこなうことも可能であり、動作を組み合わせることによりムラなく浴室壁面の水滴の蒸発作用が促進され、自動的におこなえるため人の手を煩わせずさらなる効率的な浴室乾燥をできる。
【０１００】
前記までは、吐出される循環空気に対して正面方向の浴室壁面への制御について記載してきたが、以後は吐出される循環空気に対して平行に配置される浴室壁面への制御についても記載する。
【０１０１】
図１５は本体１０１を浴室の天井に設置し、本体１０１を構成するハウジングの下部に開口した吐出口１１０の近傍、及びユニットバスの浴槽の長手方向と平行の断面図である。図１５に示すように、本体１０１を構成するハウジングの下部に開口した吐出口１１０を設け、前記吐出口１１０に第１の風向制御手段１１が有り、この第１の風向制御手段１１を通過した風がさらにその下流側に配置する複数個の第３の風向制御手段２２ａを下部が吐出される循環空気に対して平行側に配置される浴室壁面２３ａの方向に向くように固定配置され、複数個の第３の風向制御手段２２ｂを吐出される循環空気に対して平行側に配置される浴室壁面２３ｂの方向に向くように固定配置され、吐出される循環空気が浴室壁面２３ａ、２３ｂにあたるようにワイドに循環空気が吐出される構成とする。
【０１０２】
以上のように吐出される循環空気と平行側に配置される浴室壁面に向けて吐出できるものであるからして吐出される循環空気と平行側に位置する浴室壁面に付着している水滴の蒸発作用が促進され浴室壁面を短時間で乾燥することができる。
【０１０３】
また、前記第３の風向制御手段２２ａ、２２ｂにおいて別の方式について説明する。図１６の上段、及び下段の図は本体１０１を構成するハウジングの下部に開口した吐出口１１０の近傍のみの断面図を示した図である。図１６の上段、及び下段の図に示すように第３の風向制御手段２２ａ、２２ｂに各々第３の連結桟２４ａ、２４ｂにより複数個の第３の風向制御手段２２ａ、２２ｂを連結し、その第３の連結桟２４ａ、２４ｂに各々第３の取っ手２５ａ、２５ｂを有する構成とする。
【０１０４】
前記の構成において、次に第３の風向制御手段２２ａ、２２ｂの動きについて説明する。図１６の上段の図に示すように第３の取っ手２５ａ、２５ｂを手動にて矢印の方向に引いた場合は第３の風向制御手段２２ａは下部が浴室壁面２３ａの方向に向くような傾きになるように変化する。また、第３の風向制御手段２２ｂは下部が浴室壁面２３ｂの方向に向くような傾きになるように変化する。この場合は循環空気は吐出される循環空気の方向に対して平行側の浴室壁面２３ａ、２３ｂの方向に吐出される。この場合は浴室壁面２３ａ、２３ｂに付着している水滴の蒸発作用が促進され短時間にて浴室壁面２３ａ、２３ｂの壁面乾燥がおこなえる。
【０１０５】
また図１６の下段図に示すように第３の風向制御手段２２ａを下部が浴室壁面２３ｂの方向に向くような傾きにし、さらに第３の風向手段２２ｂを第３の風向制御手段２２ａと平行な傾きとした場合は吐出する循環空気は浴室壁面２３ｂの方向に吐出され。この場合は浴室壁面２３ｂに付着している水滴の蒸発作用が促進され短時間にて壁面乾燥がおこなえる。
【０１０６】
逆に第３の風向制御手段２２ａ、２２ｂの下部を浴室壁面２３ａの方向に傾くように第３の取っ手２５ａ、２５ｂを制御した場合は、浴室壁面２３ａに循環空気があたり短時間にて浴室壁面２３ａの乾燥がおこなえる。
【０１０７】
また、図示しないが第３の風向制御手段２２ａ、２２ｂを垂直になるように第３の取っ手２５ａ、２５ｂを手動にて操作した場合は、循環空気は真下に吐出するようになる。この場合は真下に位置する図示しない浴室床面に向くように吐出され浴室床面の水滴の蒸発作用が促進され、浴室床面の短時間乾燥がおこなえる。
【０１０８】
前記記載の動作を手動にておこなえるような構成の浴室乾燥装置であるから、短時間にて所望の浴室壁面の乾燥をできるものである。もちろん、前記記載の動作を組み合わせて周期的、もしくは繰り返しておこなうことも可能であり、動作を組み合わせることによりムラなく浴室壁面の水滴の蒸発作用が促進され、さらなる効率的な浴室乾燥をできる。
【０１０９】
さらに、第３の風向制御手段２２ａ、２２ｂにおいて別の方式について説明する。図１７の上段、及び下段の図は本体１０１を構成するハウジングの下部に開口した吐出口１１０の近傍のみの断面図を示した図である。図１７の上段、及び下段の図に示すように第３の風向制御手段２２ａ、２２ｂに第３の連結桟２４ａ、２４ｂにより複数個の第３の風向制御手段２２ａ、２２ｂを連結し、その第３の連結桟２４ａ、２４ｂに第３の駆動用モーター２６ａ、２６ｂを取付、第３の駆動用モーター２６ａ、２６ｂが回転することにより第３の連結桟２４ａ、２４ｂが可動する構成とする。また、第３の駆動用モーター２６ａ、２６ｂは第２の駆動制御手段２７によって制御される構成とする。
【０１１０】
前記構成において、次に第３の風向制御手段２２ａ、２２ｂの動きについて説明する。
【０１１１】
図１７の上段の図に示すように第３の駆動制御手段２７によって第３の駆動用モーター２６ａ、２６ｂを各々矢印の方向に回転させた場合、第３の風向制御手段２６ａは下部が浴室壁面２３ａの方向に向くような傾きになるように変化し、この場合は浴室壁面２３ａの方向に吐出され、浴室壁面２３ａに付着している水滴の蒸発作用が促進され短時間にて壁面乾燥がおこなえる。また、第３の風向制御手段２６ｂは下部が浴室壁面２３ｂの方向に向くような傾きになるように変化し、この場合は浴室壁面２３ｂの方向に吐出され、浴室壁面２３ｂに付着している水滴の蒸発作用が促進され短時間にて壁面乾燥がおこなえる。よって浴室壁面２３ａ、２３ｂに循環空気を吐出させれるため、両壁面を均一に短時間で乾燥できる。
【０１１２】
また、図１７の下段に示すように第３の駆動制御手段２７によって第３の駆動用モーター２６ａ、２６ｂを矢印の方向に回転させた場合、第３の風向制御手段２２ａ、２２ｂの下部が浴室壁面２３ｂの方向に向くような傾きになるように変化し、この場合は浴室壁面２３ｂに集中的に吐出させれるため、浴室壁面２３ｂに付着している水滴の蒸発作用が促進され、短時間にて壁面乾燥がおこなえる。
【０１１３】
また、逆に図示しないが第３の風向制御手段２２ａ、２２ｂの下部を浴室壁面２３ａの方向に向くような傾きに制御させると、浴室壁面２３ａに集中的に循環空気が吐出できるようになり浴室壁面２３ａの水滴の蒸発作用が促進され、短時間で乾燥がおこなえる。
【０１１４】
前記記載の動作を第３の駆動制御手段２７によって第３の駆動用モーター２６ａ、２６ｂを制御することにより自動的におこなえる浴室乾燥装置であるから、短時間にて浴室乾燥をできるものである。もちろん、前記記載の動作を組み合わせて周期的、もしくはある一定リズム的（例えば、ゆらぎリズム）におこなうことも可能であり、動作を組み合わせることによりムラなく浴室壁面の水滴の蒸発作用が促進され、自動的におこなえるため人の手を煩わせずさらなる効率的な浴室乾燥をできる。
【０１１５】
（実施例５）
本実施例において、実施例１、２、３および４と同一部分については同一の記号を付し、詳細な説明は省略する。ここでは浴室乾燥装置に除湿機能を付加した場合の構成および浴室乾燥運転時の動作について述べる。
【０１１６】
図１８は本発明の第５の実施例における浴室乾燥装置の概略構成を示した概略断面図である。図１８に示したように、この浴室乾燥装置は、浴室内の天井に設置された本体１０１に浴室内に空気を換気する換気手段１０２と、浴室内の空気を循環させる循環手段１０３と、循環手段１０３により浴室内を循環する循環空気中の水分を除湿する除湿手段２８と、除湿手段２８により除湿した水分を凝縮させる凝縮器２９と、凝縮器２９に発生した結露水を浴室外へ排出する結露水排出手段３０とが設けられており、換気手段１０２は、本体１０１を構成するハウジング下部に開口した吸気口１０５と、吸気口１０５より浴室の空気を吸引する換気ファン１０６と、換気ファン１０６の駆動源である換気用直流モータ１と、本体１０１内に設けた隔壁によって構成した換気風路１０８とから構成され、換気風路１０８の出口は屋外に開口した図示しないダクトに接続される排気口１０９となっている。
【０１１７】
また、循環手段１０３は換気手段同様に本体１０１を構成するハウジングの下部に開口した吸気口１０５と、吸気口１０５から吸気した浴室の空気をハウジングの下部に開口している吐出口１１０から吐出することを繰り返すことによって浴室内の空気を循環させる循環ファン１１１と、循環ファン１１１の駆動源である循環用直流モータ２と、本体１０１内に設けた隔壁によって構成した循環風路１１３と、循環風路１１３の出口を構成する吐出口１１０とを備えている。
【０１１８】
また、除湿手段２８は循環風路１１３と換気風路１０８にまたがって配され、循環風路１１３に位置する吸湿部３１において循環空気より吸湿し、換気風路１０８に位置する再生部３２では加熱されて脱湿する吸着材３３と、吸湿部３１と再生部３２が連続的に入れ替わるように吸着材３３を回転させる駆動手段としての駆動モータ３４と再生部３２を加熱する加熱手段１０４としてのセラミックヒーター３５とを備えており、再生部３２において吸着材３３より脱湿した水分を凝縮器により凝縮させる構成となっている。
【０１１９】
また、結露水排水手段は凝縮器２９に発生した結露水を蒸発気化させる蒸発手段としての気化フィルター３６を備え、再生部３２において吸着材３３から脱湿した水分を吸着材３３から送り出すために吸着材３３の再生部３２に流通する再生用空気と気化フィルター３６において結露水を蒸発気化させるために気化フィルター３６を通過する蒸発用空気は共に循環ファン１１１の運転により吸気口１０５から本体１０１内に吸気される浴室の空気が用いられ、再生部３２において吸着材３３より脱湿した水分を含んだ再生用空気と気化フィルター３６において蒸発気化する結露水を含んだ蒸発用空気は共に換気ファン１１１に吸込まれ換気風路１０８を通って排気口１０９より浴室外へ排気される構成となっている。
【０１２０】
また、凝縮器２９は再生部３２において吸着材３３より脱湿した水分を含んだ高湿状態の再生用空気が流れる内部通路３７と、高湿状態の再生用空気を冷却して結露させるための冷却用空気が流れる外部通路３８を有しており、冷却用空気は循環ファン１１１の運転により吸気口１０５から本体１０１内に吸気される循環空気が用いられ、循環ファン１１１により循環する循環空気を、吸気口１０５から本体１０１に吸気し凝縮器２９の外部通路３８を通した後、吸着材３３の吸湿部３１を通過させて吐出口１１０から浴室に吐出することを繰り返して循環する構成となっている。
【０１２１】
次に吸着材３３の詳細な構成について説明する。図１９は吸着材３３の構成を示した構成説明図である。図１９に示すように、吸着材３３はセラミック繊維、ガラス繊維等の無機繊維、もしくはそれら無機繊維とパルプとを混合して抄造した平面紙３９とコルゲート加工を施した波型紙４０とを積層して巻き上げて円盤状に形成し、ゼオライト、シリカゲル、活性炭などの吸着材料を１種類以上担持したもので構成され、図中の矢印の方向に多数の小透孔４１を有していて通風が可能な構造となっている。吸着材３３が比較的湿分を多く含むときに相対的に湿度の低い空気、例えば加熱された空気が通過すると通過空気中に水分を放湿し、吸着材３３が比較的乾燥しているときに相対的に湿度の高い空気、例えば浴室内の空気が通過すると通過空気中の水分を吸湿する性質を持っている。
【０１２２】
以上の構成において、次に運転動作を説明する。浴室換気運転、浴室涼風運転、の各運転モードにおける換気用直流モータ１の駆動、即ち換気ファン１０６の作動、循環直流モータ２の駆動、即ち循環ファン１１１の作動は従来例と同様であり、ここでは浴室乾燥運転モードにおける詳細動作を説明する。図２０は本発明の第５の実施例における浴室乾燥装置の除湿動作を伴う浴室乾燥運転時の動作を示す動作説明図である。図２０に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に駆動モータ３４に通電し吸着材３３を回転駆動するとともに、セラミックヒーター３５に通電し吸着材３３の再生部３２を加熱して吸着材３３の再生が可能なように動作させる。
【０１２３】
循環ファン１１１の運転により浴室内を循環する循環空気は、図中実線矢印示すように吸気口１０５より本体１０１内に入り、凝縮器２９の外部通路３８を通過する。この時、凝縮器２９の内部通路を流れる高湿状態の再生空気を冷却し結露させるので、結露させた水分量に相当する凝縮熱が循環空気に与えられ昇温されて吸着材３３の吸湿部３１に供給される。吸湿部３１において循環空気中の水分は吸着材３３に吸湿され低湿状態となると共に吸着熱を付与されて更に昇温され、高温低湿空気となって吐出口１１０から浴室内に吐出する。この循環を繰り返すことにより浴室内の空気は温度が上昇すると共に除湿されるので水蒸気分圧が急速に低下して浴室内の壁面や床面に付着した水分の蒸発作用が促進することになる。
【０１２４】
また、吸着材３３は、駆動モータ３４により吸湿部３１と再生部３２が連続的に入れ替わるように矢印ａ方向に回転しており、再生部３２においてセラミックヒーター３５により加熱されて脱湿再生した後、吸湿部３１において供給される循環空気より吸湿し、再び再生部３２に戻って再生するという動作を連続的に繰り返し、循環空気から常に吸湿を行うことになる。
【０１２５】
一方、換気ファン１０６の運転により発生する再生用空気は、図中破線矢印に示すように吸気口１０５より本体１０１内に入り、セラミックヒーター３５によって熱せられ高温となって吸着材３３の再生部３２に供給される。再生部３２において吸着材３３より脱湿する水分を含み高湿状態となって凝縮器２９の内部通路３７に入り、外部通路３８を通過する循環空気との熱交換を行う。この熱交換過程で再生用空気は露点温度以下に冷却された後、換気ファン１０６に吸込まれて換気風路１０８より浴室外に排気される。
【０１２６】
凝縮器２９において露点温度以下に冷却され凝縮した再生用空気中の水分は結露水となり、気化フィルター３６に集水される。この集水された水の量が除湿手段２８における除湿量となる。気化フィルター３６に集水された結露水は換気ファン１０６の運転により創出される図中一点鎖線矢印で示す蒸発用空気が気化フィルター３６を通過する際に蒸発して水蒸気となり蒸発用空気に含まれて換気ファン１０６に吸込まれ再生用空気ともに換気風路１０８より浴室外に排気される。換気ファン１０６は再生用空気と蒸発用空気を浴室内から吸気し浴室外に排気しており、この再生用空気と蒸発用空気を加算した空気量が浴室乾燥装置の換気量となる。
【０１２７】
本実施例の浴室乾燥運転における浴室内の空気の水蒸気分圧の低下度合は、加熱手段１０４で単純に循環空気を昇温する場合よりも大きくなる。即ち、加熱手段１０４で単純に昇温した場合の水蒸気分圧の低下度合は、本実施例においては吸着材３３の循環空気からの吸湿に伴い発生する吸着熱による昇温分と循環空気が除湿されることによる絶対水分量の減少分とを加算した水蒸気分圧の低下度合と同一値となり、本実施例では更に凝縮器２９において結露させた水分の凝縮熱に相当する昇温分が加算されるため、水蒸気分圧は単純な昇温動作時よりも低下することになるのである。
【０１２８】
以上のような除湿動作を伴う浴室乾燥運転により浴室内の空気の水蒸気分圧が十分低下する段階、即ち実施例１と同様に所定時間Δｔが経過した段階で、セラミックヒーター３５と駆動モータ３４の通電のみを停止し、換気用直流モータ１、循環用直流モータ２の運転を継続し、高温となった浴室内の空気が換気動作により浴室外に排出させることにより生じる熱エネルギーロスを抑制しつつ、水蒸気分圧が下がった乾燥空気を循環させて水分の蒸発を促しながら、換気動作によって浴室外の乾燥空気との入替えを行うことにより、更に効率の良い浴室乾燥運転が可能となる。
【０１２９】
以上のように本実施例の浴室乾燥装置は、吸湿部３１において循環空気中の水分を吸着材３３で吸湿して取り除き、再生部３２において吸着材３３から水分を脱湿し、脱湿した水分を換気ファン１０６で排出する動作を連続して行い浴室内の空気の水蒸気分圧を低下させるものであるから、浴室の壁面あるいは床面に付着した水分の蒸発作用を促進し効率的な乾燥運転を行うことができるのである。
【０１３０】
また、吸湿部３１において循環空気中の水分を吸着材３３で吸湿して取り除くと共に、吸湿した水分を再生部３２において吸着材３３から脱湿し、脱湿した水分を凝縮器２９において凝縮させ、その凝縮熱を循環空気に与えるものであるから、より浴室内の空気の水蒸気分圧の低下を促し浴室の壁面あるいは床面に付着した水分の蒸発作用を促進して効率的な乾燥運転を行うことができるのである。
【０１３１】
また、凝縮器２９に発生した結露水を気化フィルター３６により蒸発気化させ、気化した水分を含む水蒸気を換気ファン１０６により浴室外に排出するため、結露水の手動での排水作業を生じること無く、除湿した水分を凝縮させ、その凝縮熱を循環空気に与えて、浴室内の空気の水蒸気分圧の低下を促し、浴室の壁面あるいは床面に付着した水分の蒸発作用を促進して効率的な乾燥運転を行うことができるのである。
【０１３２】
なお、本実施例において再生部３２を加熱する加熱手段１０４にセラミックヒーター３５を用いたが、セラミックヒーター３５に限らず、再生部３２を加熱可能なものであれば良く、例えば輻射ヒーター（ハロゲンヒーター、カーボンヒーター）、シーズヒーター、ニクロムヒーターでも同様の効果が得られ、更には内部に高温の流体が流れる熱交換器を設けても良い。高温の流体としては、温水ボイラ、ＣＯ２ヒートポンプ給湯機、コージェネ排熱等を熱源とする温水や、直膨式ヒートポンプを熱源とするＲ４１０Ａ、ＣＯ２等の冷媒を用いれば良い。
【０１３３】
また、浴室乾燥運転開始からセラミックヒーター３５、駆動モータ３４の通電を切るまでの所定時間Δｔは予め設定するのではなく、コントローラにより設定された乾燥運転時間の所定割合としても良い。例えば所定割合を２５％に予め設定し、浴室乾燥運転の設定時間が４時間の場合には輻射ヒーターの通電時間を運転開始から４時間×２５％＝１時間、浴室乾燥運転の設定時間が８時間の場合には輻射ヒーターの通電時間を運転開始から８時間×２５％＝２時間とし、浴室乾燥運転の設定時間が１２時間の場合には輻射ヒーターの通電時間を運転開始から１２時間×２５％＝３時間として選択余地を高めることにより、様々な浴室サイズや多様な条件に見合った浴室乾燥運転を実行するようにしても良い。
【０１３４】
また、浴室乾燥運転開始からセラミックヒーター３５、駆動モータ３４の通電を切るまでの所定時間Δｔを予め設定するのではなく、実施例２と同様に循環空気の温度を検出する温度センサを設け、浴室乾燥運転開始から温度センサの検出温度が所定値Ｋを上回った段階でセラミックヒーター３５、駆動モータ３４の通電を切るようにしても良く、あるいは実施例３と同様に循環空気の湿度を検出する湿度センサを設け、浴室乾燥運転開始から湿度センサの検出湿度が所定値Ｈを下回った段階でセラミックヒーター３５、駆動モータ３４の通電を切るようにしても良い。
【０１３５】
また、換気ファン１０６の換気風量を再生用空気と蒸発用空気の加算値としたが、換気風量が更に必要な場合は、図２１に示すように別途吸気口１０５から直接換気ファン１０６に吸気させる風路を設けても良い。
【０１３６】
また、再生用空気を換気ファン１０６に吸込ませ浴室外に排気する構成としたが、図２２に示すように別途再生空気用ファン４２を設け、凝縮器２９の内部通路３７、セラミックヒーター３５、吸着材３３の再生部３２を循環するようにしても良い。この場合、吸湿部３１において浴室内の循環空気より吸湿した水分を再生部３２においてセラミックヒーター３５により加熱することにより脱湿し、その脱湿した水分の全量を凝縮器２９において凝縮させ結露水とすることができるため、循環空気に付与する結露水量分の凝縮熱量が増加し、より循環空気の温度を高め、浴室の壁面や床面に付着した水分の蒸発作用を更に高めることが可能となる。
【０１３７】
また、本体１０１内に吸気する循環空気の全量を吸着材３３の吸湿部３１に供給する構成としたが、騒音を抑制するため吸湿部３１の通過風速を低下させるような場合には図２３に示すように循環空気の一部を吸湿部３１に供給するように構成しても良い。
【０１３８】
また、本体１０１内に吸気する循環空気の全量を凝縮器２９の外部通路３８に供給する構成としたが、騒音を抑制するため凝縮器２９の外部通路３８の通過風速を低下させるような場合には図２４に示すように循環空気の一部を凝縮器２９の外部通路３８に供給するように構成しても良い。
【０１３９】
また、結露水排水手段３０を凝縮器２９に生じた結露水を気化フィルター３６に集水し、そこに換気ファン１０６の運転によって蒸発用空気を流通させ、蒸発気化させて水蒸気として浴室外へ排出する構成としたが、結露水の排水機能を有していれば良いのであり、例えば集水した結露水をポンプにより汲み上げ、ドレン配管を通じて排水しても良く、あるいはドレン配管を本体１０１の下方に接続し結露水をドレン配管を通して自然排水しても良い。その場合ドレン配管からの排水を浴槽内に落せばより簡易な排水が可能となる。また、自動排水機能を設けない場合には、本体１０１内に集水タンクを設け、集水タンクに相当量の結露水が溜まった時にタンクを取り出して排水しても良い。
【０１４０】
また、本実施例において浴室暖房運転を行う場合には、図２５に示すように循環用直流モータ２を駆動させ循環ファン１１１を動作させるとともに、駆動モータ３４とセラミックヒーター３５に通電し、セラミックヒーター３５により吸着材３３を加熱し、再生部３２において加熱されることにより高温となった吸着材３３を駆動モータ３４で回転させて吸湿部３１に移動させ、吸湿部３１において循環ファン１１１の運転により吸湿部３１に供給される循環空気に吸着材３３が保有する熱を付与し、循環空気は高温となって吐出口１１０より浴室内に吐出して循環する。また、吸湿部３１において熱を奪われ温度が低下した吸着材３３は再び再生部３２へと回転移動してセラミックヒータ３５により加熱される。この動作を繰り返すことにより浴室内の空気温度は上昇し暖房運転が行われることになる。あるいは、図２６に示すようにセラミックヒーター３５とは別に循環風路１１３の吐出口近傍に別途加熱手段１０４としての輻射ヒーター４３を設け、浴室暖房運転時あるいは浴室乾燥運転時にこの輻射ヒーター４３に通電して、暖房効果および乾燥効果を高めても良いのである。
【０１４１】
また、換気ファン１０６と循環ファン１１１の２つの送風手段を設けた構成としたが、図２７に示すように１つの送風ファン４４で換気動作、循環動作の双方を行うようにしても良い。この場合、換気動作あるいは循環動作のどちらか一方のみが必要な場合、つまり浴室換気運転や浴室暖房運転を行う場合にはダンパ４５により換気風路１０８あるいは循環風路１１３の何れか一方のみを閉鎖するようにすれば良く、換気動作と循環動作の双方が必要な場合、つまり浴室涼風運転や浴室乾燥運転を行う場合には、ダンパ４５を中間位置に固定して換気風路１０８および循環風路１１３が共に開放するようにすれば良い。
【０１４２】
（実施例６）
本実施例において、実施例１と実施例２、及び実施例３、実施例４と同一部分については同一の記号を付し、詳細な説明は省略する。図２８は実施例における浴室乾燥装置の概略構成を示したものである。図２８に示すように、人検知センサー４６をグリル１１５に設け、吐出口１１０の近傍にはＵＶ灯４７を複数個設け、制御部５から信号を送り制御する構成とする。前記構成のＵＶ灯４７の運転動作について説明する。図示しないコントローラーから浴室乾燥運転信号が制御部５に送信され、浴室乾燥運転を開始するが、このとき、人検知センサー４６にて浴室内に人、及び動物等の動くものがないかを検知し、もしなければ、ＵＶ灯４７に点灯信号を送信する。信号を受けＵＶ灯４７は点灯し、浴室内へＵＶ線を放射する。浴室乾燥運転途中にて人検知センサー４６にて人等の動くものを検知した場合は瞬時に放射を止める信号をＵＶ灯４７に送信するような制御とする。また、浴室乾燥運転終了と同時にＵＶ灯４７の放射も終了する。
【０１４３】
殺菌作用のあるＵＶ線を浴室内に放射することができる浴室乾燥装置であるから、浴室内で繁殖しやすいカビ等の繁殖を防止することができる。また、人検知センサーにより人等がいない状態でのみの放射のため安全性も十分考慮した浴室乾燥ができる。
【０１４４】
【発明の効果】
以上の実施例から明らかなように、本発明によれば、循環空気を加熱する加熱手段の加熱出力を乾燥運転の途上において変更する制御手段を設け、浴室内の乾燥速度を左右する浴室内の空気の水蒸気分圧に応じて制御手段により加熱手段の加熱出力を調整することにより、少ないエネルギー消費量で効率良く乾燥運転を行うことができるという効果のある浴室乾燥装置を提供できる。
【０１４５】
また、制御手段を乾燥運転の開始から所定時間経過した時に加熱手段の加熱出力を低下させる構成とし、乾燥運転の開始時は加熱手段の加熱出力を高めて浴室内の空気の水蒸気分圧を下げ、所定時間経過して浴室内の空気の水蒸気分圧が十分低下した後に制御手段により加熱手段の出力を低下させ、高温となった浴室内の空気が換気手段により浴室外に排出されることにより生じる熱エネルギーロスを抑制することにより、少ないエネルギー消費量で効率良く乾燥運転を行うことができるという効果のある浴室乾燥装置を提供できる。
【０１４６】
また、制御手段を乾燥運転を開始した後、循環空気の温度が所定値を超えた時に加熱手段の加熱出力を低下させる構成とし、乾燥運転の開始時は加熱手段の加熱出力を高めて浴室内の空気の水蒸気分圧を下げ、循環空気の温度、即ち浴室の温度が所定値を超えて浴室内の空気の水蒸気分圧が十分低下した後に制御手段により加熱手段の出力を低下させ、高温となった浴室内の空気が換気手段により浴室外に排出されることにより生じる熱エネルギーロスを抑制することにより、少ないエネルギー消費量で効率良く乾燥運転を行うことができるという効果のある浴室乾燥装置を提供できる。
【０１４７】
また、制御手段を乾燥運転を開始した後、循環空気の湿度が所定値を下回った時に加熱手段の加熱出力を低下させる構成とし、乾燥運転の開始時は加熱手段の加熱出力を高めて浴室内の空気の水蒸気分圧を下げ、循環空気の湿度、即ち浴室の湿度が所定値を下回り浴室内の空気の水蒸気分圧が十分低下した後に制御手段により加熱手段の出力を低下させ、高温となった浴室内の空気が換気手段により浴室外に排出されることにより生じる熱エネルギーロスを抑制することにより、少ないエネルギー消費量で効率良く乾燥運転を行うことができるという効果のある浴室乾燥装置を提供できる。
【０１４８】
また、制御手段を設定された乾燥運転時間に対して予め設定した所定割合の時間が経過した時に加熱手段の加熱出力を低下させる構成とし、乾燥運転の開始時は加熱手段の加熱出力を高めて浴室内の空気の水蒸気分圧を下げ、設定された乾燥運転時間に対して予め設定した所定割合の時間が経過して浴室内の空気の水蒸気分圧が十分低下した後に制御手段により加熱手段の出力を低下させ、高温となった浴室内の空気が換気手段により浴室外に排出されることにより生じる熱エネルギーロスを抑制することにより、少ないエネルギー消費量で効率良く乾燥運転を行うことができるという効果のある浴室乾燥装置を提供できる。
【０１４９】
また、制御手段の加熱出力制御量を加熱手段の加熱出力の最大値と最小値の２出力である構成とし、乾燥運転の開始時は加熱手段の加熱出力を最大値に設定し浴室内の空気の水蒸気分圧を素早く下げ、浴室内の空気の水蒸気分圧が十分低下した後に制御手段により加熱手段の出力を最小値に設定し、高温となった浴室内の空気が換気手段により浴室外に排出されることにより生じる熱エネルギーロスを抑制することにより、加熱出力制御量が最大値と最小値の２出力という簡便な構成において少ないエネルギー消費量で効率良く乾燥運転を行うことができるという効果のある浴室乾燥装置を提供できる。
【０１５０】
また、循環手段の主駆動源を直流電動機とした構成とし、循環手段の駆動源の消費電力を低減するという効果のある浴室乾燥装置を提供できる。
【０１５１】
また、換気手段の主駆動源を直流電動機とした構成とし、換気手段の駆動源の消費電力を低減するという効果のある浴室乾燥装置を提供できる。
【０１５２】
また、循環手段により創出される循環空気量を乾燥運転の開始から終了まで常に最大に維持される構成とし、低い水蒸気分圧の循環空気を高風量で循環させ浴室内を撹拌し、浴室の壁面や床面からの水分の蒸発作用を促進することにより、効率的に乾燥運転を行うことができるという効果のある浴室乾燥装置を提供できる。
【０１５３】
また、循環空気を浴室の壁面に沿って吐出させるための第１の風向制御手段を備えた構成とし、第１の風向制御手段により決定される循環空気の吐出方向に対して正面に位置する浴室の壁面に低い水蒸気分圧の循環空気を送風することにより、壁面に付着した水分の蒸発作用を促進し効率的な乾燥運転を行うことができるという効果のある浴室乾燥装置を提供できる。
【０１５４】
また、第１の風向制御手段を手動で循環空気の吐出方向が変更可能である構成とし、第１の風向制御手段により決定される循環空気の吐出方向の正面に位置する浴室の壁面の水分が付着し易い個所に低い水蒸気分圧の循環空気の吐出方向を手動で調整し集中的に送風することにより、壁面に付着した水分の蒸発作用を促進し効率的な乾燥運転を行うことができるという効果のある浴室乾燥装置を提供できる。
【０１５５】
また、第１の風向制御手段を自動で循環空気の吐出方向が変更可能である構成とし、循環空気の吐出方向を自動で変更させて、第１の風向制御手段により決定される循環空気の吐出方向の正面に位置する浴室の壁面の広い範囲に低い水蒸気分圧の循環空気を送風することにより、壁面の広い範囲に付着した水分の蒸発作用を促進し効率的な乾燥運転を行うことができるという効果のある浴室乾燥装置を提供できる。
【０１５６】
また、第１の風向制御手段を循環空気の吐出方向を変更するとともに吐出風速を変更する風速調整作用を有する構成とし、循環空気の吐出方向を自動で変更させて、第１の風向制御手段により決定される循環空気の吐出方向の正面に位置する浴室の壁面の広い範囲に低い水蒸気分圧の循環空気を送風し壁面の広い範囲に付着した水分の蒸発作用を促進するとともに、壁面の水分が付着し易い個所には吐出風速を高めて水分の蒸発作用を早めることにより、効率的な乾燥運転を行うことができるという効果のある浴室乾燥装置を提供できる。
【０１５７】
また、第１の風向制御手段により創出される循環空気の吐出方向に対して平行に循環空気を吐出させるための第２の風向制御手段を備えた構成とし、第２の風向制御手段により決定される循環空気の吐出方向に対して正面に位置する浴室の壁面、即ち、第１の風向制御手段により決定される循環空気の吐出方向に対して側面に位置する浴室の壁面に低い水蒸気分圧の循環空気を送風することにより、壁面に付着した水分の蒸発作用を促進し効率的な乾燥運転を行うことができるという効果のある浴室乾燥装置を提供できる。
【０１５８】
また、第２の風向制御手段を手動で循環空気の吐出方向が変更可能である構成とし、第２の風向制御手段により決定される循環空気の吐出方向に対して正面に位置する浴室の壁面、即ち、第１の風向制御手段により決定される循環空気の吐出方向に対して側面に位置する浴室の壁面の水分が付着し易い個所に低い水蒸気分圧の循環空気の吐出方向を手動で調整して集中的に送風することにより、壁面に付着した水分の蒸発作用を促進し効率的な乾燥運転を行うことができるという効果のある浴室乾燥装置を提供できる。
【０１５９】
また、第２の風向制御手段を自動で循環空気の吐出方向が変更可能である構成とし、循環空気の吐出方向を自動で変更させて、第２の風向制御手段により決定される循環空気の吐出方向に対して正面に位置する浴室の壁面、即ち、第１の風向制御手段により決定される循環空気の吐出方向に対して側面に位置する浴室の壁面の広い範囲に低い水蒸気分圧の循環空気を送風することにより、壁面の広い範囲に付着した水分の蒸発作用を促進し効率的な乾燥運転を行うことができるという効果のある浴室乾燥装置を提供できる。
【０１６０】
また、第２の風向制御手段を循環空気の吐出方向を変更するとともに吐出風速を変更する風速調整作用を有する構成とし、循環空気の吐出方向を自動で変更させて、第２の風向制御手段により決定される循環空気の吐出方向に対して正面に位置する浴室の壁面、即ち、第１の風向制御手段により決定される循環空気の吐出方向に対して側面に位置する浴室の壁面の広い範囲に低い水蒸気分圧の循環空気を送風し壁面の広い範囲に付着した水分の蒸発作用を促進するとともに、壁面の水分が付着し易い個所には吐出風速を高めて水分の蒸発作用を早めることにより、効率的な乾燥運転を行うことができるという効果のある浴室乾燥装置を提供できる。
【０１６１】
また、加熱手段を浴室内に輻射熱を照射する輻射ヒーターである構成とし、輻射ヒーターの輻射熱を浴室内に照射し、その輻射熱により浴室の壁面および床面に付着した水分の蒸発作用を促進することにより、効率的な乾燥運転を行うことができるという効果のある浴室乾燥装置を提供できる。
【０１６２】
また、循環空気中の水分を取り去る除湿手段を備えた構成とし、除湿手段で循環空気中の水分を取り除き、浴室内の空気の水蒸気分圧を低下させて浴室の壁面あるいは床面に付着した水分の蒸発作用を促進することにより、効率的な乾燥運転を行うことができるという効果のある浴室乾燥装置を提供できる。
【０１６３】
また、除湿手段を吸湿部において通過空気より吸湿し、再生部では加熱されて脱湿し再生する吸着材と、吸湿部と再生部が連続的もしくは断続的に入れ替わるように吸着材を回転させる駆動手段を備え、吸湿部において循環空気を流通させて循環空気中の水分を吸湿させ、再生部において加熱手段の加熱出力の全量もしくは少なくとも一部を用いて吸着材を再生し、吸着材から脱湿した水分を換気手段により浴室外に排出することにより除湿動作を行う構成とし、吸湿部において循環空気中の水分を吸着材で吸湿して取り除き、再生部において吸着材から水分を脱湿し、脱湿した水分を換気手段で排出する動作を連続して行い浴室内の空気の水蒸気分圧を低下させて浴室の壁面あるいは床面に付着した水分の蒸発作用を促進することにより、効率的な乾燥運転を行うことができるという効果のある浴室乾燥装置を提供できる。
【０１６４】
また、再生部において吸着材より脱湿した水分の全量もしくは一部を凝縮させる凝縮器を備え、凝縮器において発生する凝縮潜熱を循環空気に与え循環空気を昇温する構成とし、除湿手段で循環空気中の水分を取り除くと共に、除湿した水分を凝縮させ、その凝縮熱を循環空気に与えて、より浴室内の空気の水蒸気分圧の低下を促すことにより、浴室の壁面あるいは床面に付着した水分の蒸発作用を促進して効率的な乾燥運転を行うことができるという効果のある浴室乾燥装置を提供できる。
【０１６５】
また、凝縮器に発生した結露水を浴室外へ排出する結露水排出手段を備えた構成とすることにより、凝縮器に発生した結露水の手動での排水作業を生じること無く、除湿した水分を凝縮させ、その凝縮熱を循環空気に与えて、浴室内の空気の水蒸気分圧の低下を促し、浴室の壁面あるいは床面に付着した水分の蒸発作用を促進して効率的な乾燥運転を行うことができるという効果のある浴室乾燥装置を提供できる。
【０１６６】
また、結露水排出手段を凝縮器に発生した結露水を蒸発気化させる蒸発手段を備え、蒸発手段で結露水が蒸発気化することにより発生する水蒸気を換気手段で浴室外へ排出する構成とし、凝縮器に発生した結露水を蒸発手段により蒸発気化させ、気化した水分を含む水蒸気を換気手段により浴室外に排出することにより、結露水の手動での排水作業を生じること無く、除湿した水分を凝縮させ、その凝縮熱を循環空気に与えて、浴室内の空気の水蒸気分圧の低下を促し、浴室の壁面あるいは床面に付着した水分の蒸発作用を促進して効率的な乾燥運転を行うことができるという効果のある浴室乾燥装置を提供できる。
【０１６７】
また、浴室乾燥時にＵＶ線を人等がいない状態でのみ放射し、カビ繁殖を防止することができる浴室乾燥装置を提供できる。
【図面の簡単な説明】
【図１】本発明の実施例１の浴室乾燥装置の概略構成を示す概略断面図
【図２】同浴室乾燥装置の浴室乾燥運転時の動作を示す動作説明図
【図３】同浴室乾燥装置の浴室乾燥運転開始から輻射ヒーターの通電を切るまでの所定時間Δｔをコントローラより設定された乾燥運転時間の所定割合とした場合の動作説明図
【図４】同浴室乾燥装置の浴室乾燥運転開始から所定時間Δｔ１経過した時に輻射ヒーター３ａのみ通電を停止し、その後所定時間Δｔ２経過した時に輻射ヒーター３ｂの通電を停止する場合の動作を示す動作説明図
【図５】本発明の実施例２の浴室乾燥装置の概略構成を示す概略断面図
【図６】同浴室乾燥装置の浴室乾燥運転時の動作を示す動作説明図
【図７】同浴室乾燥装置の温度浴室乾燥運転開始から温度センサ９により検出される循環空気温度が所定値Ｋ１を上回った時に輻射ヒーター３ａのみ通電を停止し、その後所定値Ｋ２を上回った時に輻射ヒーター３ｂの通電を停止する場合の動作を示す動作説明図
【図８】本発明の実施例３の浴室乾燥装置の概略構成を示す概略断面図
【図９】同浴室乾燥装置の浴室乾燥運転時の動作を示す動作説明図
【図１０】同浴室乾燥装置の温度浴室乾燥運転開始から湿度センサ１０により検出される循環空気湿度が所定値Ｈ１を下回った時に輻射ヒーター３ａのみ通電を停止し、その後所定値Ｈ２を下回った時に輻射ヒーター３ｂの通電を停止する場合の動作を示す動作説明図
【図１１】本発明の実施例４の浴室乾燥装置の第１の風向制御手段１１の概略構成を示す概略断面図
【図１２】同浴室乾燥装置の第１の風向制御手段１１を手動にて可変することができるグリル１１５、吸気口１０５、及び吐出口１１０のみの概略断面図
【図１３】同浴室乾燥装置の第１の風向制御手段１１を自動で可変することができるグリル１１５、吸気口１０５、及び吐出口１１０のみの概略断面図
【図１４】同浴室乾燥装置の第１の風向制御手段１１と第２の風向制御手段１８を自動で可変し、吐出風の風速を調整できるグリル１１５、吸気口１０５、及び吐出口１１０のみの概略断面図
【図１５】同浴室乾燥装置の第３の風向手段２２ａ、２２ｂでワイドに循環空気を吐出することができるグリル１１５、吸気口１０５、及び吐出口１１０のみの概略断面図
【図１６】同浴室乾燥装置の第３の風向手段２２ａ、２２ｂを手動にて可変することができるグリル１１５、吸気口１０５、及び吐出口１１０のみの概略断面図
【図１７】同浴室乾燥装置の第３の風向手段２２ａ、２２ｂを自動にて可変することができるグリル１１５、吸気口１０５、及び吐出口１１０のみの概略断面図
【図１８】本発明の実施例５の浴室乾燥装置の概略構成を示す概略断面図
【図１９】同浴室乾燥装置の吸着材３３の構成を示す構成説明図
【図２０】同浴室乾燥装置の除湿動作を伴う浴室乾燥運転時の動作を示す動作説明図
【図２１】同浴室乾燥装置の吸気口１０５から直接換気ファン１０６に吸気させる風路を設けた場合の構成の一例を示す概略構成図
【図２２】同浴室乾燥装置の再生用空気を凝縮器２９の内部通路３７、セラミックヒーター３５、吸着材３３の再生部３２を循環させる場合の構成の一例を示す概略構成図
【図２３】同浴室乾燥装置の循環空気の一部を吸湿部３２に供給させる場合の構成の一例を示す概略構成図
【図２４】同浴室乾燥装置の循環空気の一部を凝縮器２９の外部通路３８に供給させる場合の構成の一例を示す概略構成図
【図２５】同浴室乾燥装置の浴室暖房運転を行う場合の動作の一例を示す動作説明図
【図２６】同浴室乾燥装置の循環風路１１３の吐出口近傍に輻射ヒーター４３を設けた場合の構成の一例を示す概略構成図
【図２７】同浴室乾燥装置の１つの送風ファン４４で換気動作、循環動作の双方を行う場合の概略構成および動作の一例を示す説明図
【図２８】本発明の実施例６の人検知センサー４５、ＵＶ等４６を設けた浴室乾燥装置の概略構成の概略断面図
【図２９】従来の浴室乾燥装置の概略構成の概略断面図
【図３０】従来の浴室乾燥装置の概略設置図
【符号の説明】
１　　　　換気用直流モータ
２　　　　循環用直流モータ
３ａ　　　輻射ヒーター
３ｂ　　　輻射ヒーター
４　　　　反射板
５　　　　制御手段
６　　　　制御部
７　　　　受信部
８　　　　タイマー
９　　　　温度センサ
１０　　　湿度センサ
１１　　　第１の風向制御手段
１２　　　循環空気の吐出方向に対して正面に位置する浴室壁面
１３　　　吸気口側に位置する浴室壁面
１４　　　第１の連結桟
１５　　　第１の取っ手
１６　　　第１の駆動用モーター
１７　　　第１の駆動制御手段
１８　　　第２の風向制御手段
１９　　　第２の連結桟
２０　　　第２の駆動用モーター
２１　　　吐出風通過風路
２２ａ、２２ｂ　　　　第３の風向制御手段
２３ａ、２３ｂ　　　　吐出される循環空気に対して平行側に配置される浴室壁面
２４ａ、２４ｂ　　　　第３の連結桟
２５ａ、２５ｂ　　　　第３の取っ手
２６ａ、２６ｂ　　　　第３の駆動用モーター
２７　　　第３の駆動制御手段
２８　　　除湿手段
２９　　　凝縮器
３０　　　結露水排出手段
３１　　　吸湿部
３２　　　再生部
３３　　　吸着材
３４　　　駆動モータ
３５　　　セラミックヒーター
３６　　　気化フィルター
３７　　　内部通路
３８　　　外部通路
３９　　　平面紙
４０　　　波型紙
４１　　　小透孔
４２　　　再生空気用ファン
４３　　　輻射ヒーター
４４　　　送風ファン
４５　　　ダンパー
４６　　　人検知センサー
４７　　　ＵＶ等
１０１　　本体
１０２　　換気手段
１０３　　循環手段
１０４　　加熱手段
１０５　　吸気口
１０６　　換気ファン
１０７　　換気用モータ
１０８　　換気風路
１０９　　排気口
１１０　　吐出口
１１１　　循環ファン
１１２　　循環用モータ
１１３　　循環風路
１１４ａ　ヒーター
１１４ｂ　ヒーター
１１４ｃ　ヒーター
【図１】
2004093008.tif 000003
【図２】
2004093008.tif 000004
【図３】
2004093008.tif 000005
【図４】
2004093008.tif 000006
【図５】
2004093008.tif 000007
【図６】
2004093008.tif 000008
【図７】
2004093008.tif 000009
【図８】
2004093008.tif 000010
【図９】
2004093008.tif 000011
【図１０】
2004093008.tif 000012
【図１１】
2004093008.tif 000013
【図１２】
2004093008.tif 000014
【図１３】
2004093008.tif 000015
【図１４】
2004093008.tif 000016
【図１５】
2004093008.tif 000017
【図１６】
2004093008.tif 000018
【図１７】
2004093008.tif 000019
【図１８】
2004093008.tif 000020
【図１９】
2004093008.tif 000021
【図２０】
2004093008.tif 000022
【図２１】
2004093008.tif 000023
【図２２】
2004093008.tif 000024
【図２３】
2004093008.tif 000025
【図２４】
2004093008.tif 000026
【図２５】
2004093008.tif 000027
【図２６】
2004093008.tif 000028
【図２７】
2004093008.tif 000029
【図２８】
2004093008.tif 000030
【図２９】
2004093008.tif 000031
【図３０】
2004093008.tif 000032